(57)【特許請求の範囲】
【請求項１】
施工対象の建物付帯設備である施工建物付帯設備の仕様を検討するためのユーザインタフェースを提供する表示制御装置であって、
前記施工建物付帯設備の施工が完了する時点において施行されている前記建物付帯設備の前記仕様を制限するための法規である現在法規を示す現在法規情報のうちの少なくとも一部を取得する法規取得部と、
前記建物付帯設備の前記仕様を構成する複数の項目仕様に対応する複数の仕様項目を示す仕様項目情報を取得する仕様項目取得部と、
前記施工建物付帯設備の前記仕様を示す施工仕様情報であって、複数の前記仕様項目に対応する前記施工建物付帯設備の複数の前記項目仕様である複数の施工項目仕様を示す前記施工仕様情報を取得する施工仕様取得部と、
前記施工仕様取得部が取得する前記施工仕様情報が示す複数の前記施工項目仕様のそれぞれと、前記仕様項目取得部が取得する前記仕様項目情報が示す前記仕様項目とを対応付けた表示画像であって、前記法規取得部が取得する前記現在法規情報が示す前記現在法規を含む前記表示画像を生成する表示画像生成部と、
前記表示画像生成部が生成した前記表示画像を表示画像情報として出力する表示画像出力部と、
ユーザ操作を示す操作情報を取得する操作取得部と、
前記操作取得部が取得する前記操作情報に基づいて、前記操作情報が示す前記ユーザ操作により選択された前記仕様項目を特定して、当該仕様項目である選択仕様項目を示す選択仕様項目情報を取得する選択仕様項目取得部と、
前記選択仕様項目取得部が取得する前記選択仕様項目情報に基づいて、前記現在法規情報が示す前記現在法規のうちの前記選択仕様項目情報が示す前記選択仕様項目に対応する前記現在法規である対応現在法規を特定する対応法規特定部と、
を備え、
前記表示画像生成部は、前記選択仕様項目取得部が前記選択仕様項目情報を取得したときに、前記対応法規特定部が特定した前記対応現在法規と他の前記現在法規とを識別可能な前記表示画像を生成すること
を特徴とする表示制御装置。
【請求項２】
前記法規取得部は、前記選択仕様項目取得部が取得する前記選択仕様項目情報に基づいて、前記現在法規情報のうちの、前記選択仕様項目情報が示す前記選択仕様項目に対応する前記現在法規である前記対応現在法規を示す対応現在法規情報を取得し、
前記表示画像生成部は、前記選択仕様項目取得部が前記選択仕様項目情報を取得したときに、前記法規取得部が取得する前記対応現在法規情報が示す前記対応現在法規を含む前記表示画像を生成すること
を特徴とする請求項１記載の表示制御装置。
【請求項３】
前記操作取得部が取得する前記操作情報に基づいて、前記操作情報が示す前記ユーザ操作により選択された前記現在法規を特定して、当該現在法規である選択現在法規を示す選択現在法規情報を取得する選択法規取得部と、
前記選択法規取得部が取得する前記選択現在法規情報に基づいて、前記仕様項目情報が示す複数の前記仕様項目のうちの、前記選択現在法規情報が示す前記選択現在法規に対応する前記仕様項目である対応仕様項目を特定する対応仕様項目特定部と、
を備え、
前記表示画像生成部は、前記選択法規取得部が前記選択現在法規情報を取得したときに、前記対応仕様項目特定部が特定した前記対応仕様項目と他の前記仕様項目とを識別可能な前記表示画像を生成すること
を特徴とする請求項１記載の表示制御装置。
【請求項４】
前記法規取得部が取得する前記現在法規情報が示す前記現在法規に基づいて、前記施工仕様取得部が取得する前記施工仕様情報が示す複数の前記項目仕様のうち、前記現在法規情報が示す前記現在法規に抵触する前記項目仕様である抵触項目仕様を抽出する抵触項目仕様抽出部
を備え、
前記表示画像生成部は、前記抵触項目仕様抽出部が前記抵触項目仕様を抽出したときに、前記抵触項目仕様と他の前記項目仕様とを識別可能な前記表示画像を生成すること
を特徴とする請求項１記載の表示制御装置。
【請求項５】
前記操作取得部が取得する前記操作情報が示す前記ユーザ操作に基づいて、前記施工仕様情報が示す前記施工項目仕様を変更することにより前記施工仕様情報を変更する施工仕様変更部であって、前記操作情報が示す前記ユーザ操作に基づいて変更する前記施工項目仕様が、前記法規取得部が取得する前記現在法規情報が示す前記現在法規に抵触しない場合に、前記施工仕様情報を変更する前記施工仕様変更部、
を備え、
前記施工仕様取得部は、前記施工仕様変更部が変更した後の前記施工仕様情報を取得すること
を特徴とする請求項１記載の表示制御装置。
【請求項６】
前記法規取得部が取得する前記現在法規情報に基づいて、前記ユーザ操作により選択可能な１個以上の前記項目仕様の候補である項目仕様候補を前記仕様項目毎に抽出する項目仕様候補抽出部であって、前記現在法規情報が示す前記現在法規に抵触しない１個以上の前記項目仕様候補を抽出する前記項目仕様候補抽出部と、
前記項目仕様候補抽出部が抽出した１個以上の前記項目仕様候補のうちから、前記操作取得部が取得する前記操作情報が示す前記ユーザ操作により選択された前記項目仕様に基づいて、前記施工仕様情報が示す前記施工項目仕様を変更することにより前記施工仕様情報を変更する施工仕様変更部と、
を備え、
前記表示画像生成部は、前記項目仕様候補抽出部が抽出した１個以上の前記項目仕様候補のうちから、前記ユーザ操作により前記項目仕様を選択可能な前記表示画像を生成し、
前記操作取得部は、前記仕様項目毎に予め定められた１個以上の前記項目仕様候補のうちから、前記ユーザ操作により選択された前記項目仕様を示す前記操作情報を取得し、
前記施工仕様取得部は、前記施工仕様変更部が変更した後の前記施工仕様情報を取得すること
を特徴とする請求項１記載の表示制御装置。
【請求項７】
前記施工建物付帯設備が施工される地域である施工地域を示す施工地域情報を取得する施工地域取得部を備え、
前記法規取得部は、前記施工地域取得部が取得する前記施工地域情報が示す施工地域において施行されている前記現在法規である現在地域法規を示す前記現在法規情報である地域現在法規情報のうちの少なくとも一部を取得すること
を特徴とする請求項１記載の表示制御装置。
【請求項８】
前記施工建物付帯設備の施工が、既存の前記建物付帯設備である既存建物付帯設備の修繕、更新、又は改修である否かを判定する施工判定部と、
前記施工判定部が前記既存建物付帯設備の修繕、更新、又は改修であると判定した場合に、前記既存建物付帯設備の施工が完了した時点を示す過去施工時点情報を取得する過去施工時点取得部と、
を備え、
前記法規取得部は、前記現在法規情報に加えて、前記過去施工時点取得部が取得する前記過去施工時点情報が示す時点に施行されていた前記建物付帯設備の前記仕様を制限するための法規である過去法規を示す過去法規情報の少なくとも一部を取得し、
前記表示画像生成部は、前記法規取得部が取得する前記現在法規情報が示す前記現在法規及び前記過去法規情報が示す前記過去法規を含む前記表示画像を生成すること
を特徴とする請求項１記載の表示制御装置。
【請求項９】
前記法規取得部は、前記選択仕様項目取得部が取得する前記選択仕様項目情報に基づいて、前記現在法規情報のうちの、前記選択仕様項目情報が示す前記選択仕様項目に対応する前記現在法規である前記対応現在法規を示す対応現在法規情報と、前記過去法規情報のうちの、前記選択仕様項目情報が示す前記選択仕様項目に対応する前記過去法規である対応過去法規を示す対応過去法規情報とを取得し、
前記表示画像生成部は、前記選択仕様項目取得部が前記選択仕様項目情報を取得したときに、前記法規取得部が取得する前記対応現在法規情報が示す前記対応現在法規、及び前記対応過去法規情報が示す前記対応過去法規を含む前記表示画像を生成すること
を特徴とする請求項８記載の表示制御装置。
【請求項１０】
前記対応法規特定部は、前記選択仕様項目取得部が取得する前記選択仕様項目情報に基づいて前記対応現在法規を特定するのに加えて、前記選択仕様項目取得部が取得する前記選択仕様項目情報に基づいて、前記過去法規情報が示す前記過去法規のうちの前記選択仕様項目情報が示す前記選択仕様項目に対応する前記過去法規である対応過去法規を特定し、
前記表示画像生成部は、前記選択仕様項目取得部が前記選択仕様項目情報を取得したときに、前記対応法規特定部が特定した前記対応現在法規又は前記対応過去法規と他の前記現在法規又は前記過去法規とを識別可能な前記表示画像を生成すること
を特徴とする請求項８記載の表示制御装置。
【請求項１１】
前記操作取得部が取得する前記操作情報に基づいて、前記操作情報が示す前記ユーザ操作により選択された前記現在法規又は前記過去法規を特定して、特定した前記現在法規である選択現在法規を示す選択現在法規情報、又は、特定した前記過去法規である選択過去法規を示す選択過去法規情報を取得する選択法規取得部と、
前記選択法規取得部が取得する前記選択現在法規情報又は前記選択過去法規情報に基づいて、前記仕様項目情報が示す複数の前記仕様項目のうちの、前記選択現在法規情報が示す前記選択現在法規、又は前記選択過去法規情報が示す選択過去法規に対応する前記仕様項目である対応仕様項目を特定する対応仕様項目特定部と、
を備え、
前記表示画像生成部は、前記選択法規取得部が前記選択現在法規情報又は前記選択過去法規情報を取得したときに、前記対応仕様項目特定部が特定した前記対応仕様項目と他の前記仕様項目とを識別可能な前記表示画像を生成すること
を特徴とする請求項８記載の表示制御装置。
【請求項１２】
前記施工建物付帯設備が施工される地域である施工地域を示す施工地域情報を取得する施工地域取得部を備え、
前記法規取得部は、前記施工建物付帯設備の施工が完了する時点において前記施工地域取得部が取得する前記施工地域情報が示す施工地域に施行されている前記現在法規である現在地域法規を示す前記現在法規情報である地域現在法規情報のうちの少なくとも一部と、前記過去施工時点情報が示す時点において前記施工地域情報が示す施工地域に施行されていた前記過去法規である過去地域法規を示す前記過去法規情報である地域過去法規情報のうちの少なくとも一部とを取得すること
を特徴とする請求項８記載の表示制御装置。
【請求項１３】
施工対象の建物付帯設備である施工建物付帯設備の仕様を検討するためのユーザインタフェースを提供する表示制御方法であって、
法規取得部が、前記施工建物付帯設備の施工が完了する時点において施行されている前記建物付帯設備の前記仕様を制限するための法規である現在法規を示す現在法規情報のうちの少なくとも一部を取得する法規取得ステップと、
仕様項目取得部が、前記建物付帯設備の前記仕様を構成する複数の項目仕様に対応する複数の仕様項目を示す仕様項目情報を取得する仕様項目取得ステップと、
施工仕様取得部が、前記施工建物付帯設備の前記仕様を示す施工仕様情報であって、複数の前記仕様項目に対応する前記施工建物付帯設備の複数の前記項目仕様である複数の施工項目仕様を示す前記施工仕様情報を取得する施工仕様取得ステップと、
表示画像生成部が、前記施工仕様取得ステップにより取得された前記施工仕様情報が示す複数の前記施工項目仕様のそれぞれと、前記仕様項目取得ステップにより取得された前記仕様項目情報が示す前記仕様項目とを対応付けた表示画像であって、前記法規取得ステップにより取得された前記現在法規情報が示す前記現在法規を含む前記表示画像を生成する表示画像生成ステップと、
表示画像出力部が、前記表示画像生成ステップにより生成された前記表示画像を表示画像情報として出力する表示画像出力ステップと、
操作取得部が、ユーザ操作を示す操作情報を取得する操作取得ステップと、
選択仕様項目取得部が、前記操作取得ステップにより取得された前記操作情報に基づいて、前記操作情報が示す前記ユーザ操作により選択された前記仕様項目を特定して、当該仕様項目である選択仕様項目を示す選択仕様項目情報を取得する選択仕様項目取得ステップと、
対応法規特定部が、前記選択仕様項目取得ステップにより取得された前記選択仕様項目情報に基づいて、前記現在法規情報が示す前記現在法規のうちの前記選択仕様項目情報が示す前記選択仕様項目に対応する前記現在法規である対応現在法規を特定する対応法規特定ステップと、
を備え、
前記表示画像生成部は、前記表示画像生成ステップにおいて、前記選択仕様項目取得ステップにおいて前記選択仕様項目情報が取得されたときに、前記対応法規特定ステップにより特定された前記対応現在法規と他の前記現在法規とを識別可能な前記表示画像を生成すること
を特徴とする表示制御方法。
【発明の詳細な説明】
【技術分野】
【０００１】
本開示は、表示制御装置及び表示制御方法に関する。
【背景技術】
【０００２】
昇降機等の建物に付帯する設備（以下「建物付帯設備」という。）の導入、修繕、更新、又は改修等の施工を検討する場合、施工予定の建物付帯設備が、当該建物付帯設備を施工する国又は地域の法規（以下、単に「法規」という。）に適合しているか否かを検討する必要がある。
建物の設計若しくは施工管理を行う建設業者、又は建物付帯設備の施工を行う施工業者等の営業担当者は、建物付帯設備の施主からの要望を仕様としてまとめ、当該仕様の項目毎に建物付帯設備が法規に適合しているか否かを、技術担当者等の専門性の高い担当者に確認する必要がある。そのため、施工予定の建物付帯設備の仕様を確定するまでに相当の期間を要する場合がある。
施工予定の建物付帯設備の仕様を確定するまでに相当の期間を要した場合、施主にとっては、施工を開始する時期が遅延することにより施工が完了する時期が遅延してしまう場合があるばかりか、建設業者又は施工業者等にとっては、当該施工の契約を施主と取り交わすことができずに、商機を逸してしまう場合がある。【０００３】
ところで、住宅建築の分野においては、過去事例を管理する過去事例サーバと、画面表示装置を備えた端末とを備えたシステムにおいて、過去の建築事例を参考にしながら、施主の目の前で顧客の意見を取り入れつつ間取り設計を行うことを可能する技術が知られている（例えば、特許文献１参照。）。
【先行技術文献】
【特許文献】
【０００４】
【特許文献１】特開２００１−２０９６７１号公報
【発明の概要】
【発明が解決しようとする課題】
【０００５】
建物付帯設備の施工を検討する場合に、例えば、過去に施工した事例である過去事例を参考にして、施工予定の建物付帯設備の仕様が法規に適合しているか否かを確認する方法が考えられる。
しかし、過去事例における建物付帯設備の仕様は、当該建物付帯設備を施工した時点においては、当該時点において施行されていた法規には適合する仕様ではあるが、施工予定の建物付帯設備の施工が完了した時点において施行されている法規に適合する仕様であるか否かについては不明である。そのため、営業担当者等は、過去に施工した事例である過去事例を参考にして施工予定の建物付帯設備の仕様を検討した場合であっても、当該仕様が法規に適合する仕様であるか否かについて把握することができないという問題点がある。【０００６】
本開示は、上述の問題点を解決するためのものであり、施工予定の建物付帯設備の仕様が法規に適合する仕様であるか否かについて、営業担当者等のユーザに把握させることを可能にする表示制御装置を提供することを目的としている。
【課題を解決するための手段】
【０００７】
本開示の表示制御装置は、施工対象の建物付帯設備である施工建物付帯設備の仕様を検討するためのユーザインタフェースを提供する表示制御装置であって、施工建物付帯設備の施工が完了する時点において施行されている建物付帯設備の仕様を制限するための法規である現在法規を示す現在法規情報のうちの少なくとも一部を取得する法規取得部と、建物付帯設備の仕様を構成する複数の項目仕様に対応する複数の仕様項目を示す仕様項目情報を取得する仕様項目取得部と、施工建物付帯設備の仕様を示す施工仕様情報であって、複数の仕様項目に対応する施工建物付帯設備の複数の項目仕様である複数の施工項目仕様を示す施工仕様情報を取得する施工仕様取得部と、施工仕様取得部が取得する施工仕様情報が示す複数の施工項目仕様のそれぞれと、仕様項目取得部が取得する仕様項目情報が示す仕様項目とを対応付けた表示画像であって、法規取得部が取得する現在法規情報が示す現在法規を含む表示画像を生成する表示画像生成部と、表示画像生成部が生成した表示画像を表示画像情報として出力する表示画像出力部と、ユーザ操作を示す操作情報を取得する操作取得部と、操作取得部が取得する操作情報に基づいて、操作情報が示すユーザ操作により選択された仕様項目を特定して、当該仕様項目である選択仕様項目を示す選択仕様項目情報を取得する選択仕様項目取得部と、選択仕様項目取得部が取得する選択仕様項目情報に基づいて、現在法規情報が示す現在法規のうちの選択仕様項目情報が示す選択仕様項目に対応する現在法規である対応現在法規を特定する対応法規特定部と、を備え、表示画像生成部は、選択仕様項目取得部が選択仕様項目情報を取得したときに、対応法規特定部が特定した対応現在法規と他の現在法規とを識別可能な表示画像を生成するように構成したものである。
【発明の効果】
【０００８】
本開示によれば、施工予定の建物付帯設備の仕様が法規に適合する仕様であるか否かについて、営業担当者等のユーザに把握させることができる。
【図面の簡単な説明】
【０００９】
【図１】図１は、実施の形態１に係る表示制御装置が適用された仕様検討システムの要部の構成の一例を示すブロック図である。
【図２】図２は、実施の形態１に係る表示制御装置の要部の構成の一例を示すブロック図である。
【図３】図３は、実施の形態１に係る表示制御装置が表示装置に表示させる表示画像の一例を示す説明図である。
【図４】図４Ａ及び図４Ｂは、実施の形態１に係る表示制御装置のハードウェア構成の一例を示すブロック図である。
【図５】図５は、実施の形態１に係る表示制御装置の処理の一例を示すフローチャートである。
【図６】図６は、実施の形態１に係る表示制御装置の処理の一例を示すフローチャートである。
【図７】図７は、実施の形態２に係る表示制御装置が適用された仕様検討システムの要部の構成の一例を示すブロック図である。
【図８】図８は、実施の形態２に係る表示制御装置の要部の構成の一例を示すブロック図である。
【図９】図９は、実施の形態２に係る表示制御装置の処理の一例を示すフローチャートである。
【図１０】図１０は、実施の形態２に係る表示制御装置の処理の一例を示すフローチャートである。
【図１１】図１１は、実施の形態３に係る表示制御装置が適用された仕様検討システムの要部の構成の一例を示すブロック図である。
【図１２】図１２は、実施の形態３に係る表示制御装置の要部の構成の一例を示すブロック図である。
【図１３】図１３は、実施の形態３に係る表示制御装置の処理の一例を示すフローチャートである。
【図１４】図１４は、実施の形態３に係る表示制御装置の処理の一例を示すフローチャートである。
【図１５】図１５は、実施の形態４に係る表示制御装置が適用された仕様検討システムの要部の構成の一例を示すブロック図である。
【図１６】図１６は、実施の形態４に係る表示制御装置の要部の構成の一例を示すブロック図である。
【図１７】図１７は、実施の形態４に係る表示制御装置の処理の一例を示すフローチャートである。
【図１８】図１８は、実施の形態４に係る表示制御装置の処理の一例を示すフローチャートである。
【発明を実施するための形態】
【００１０】
以下、本開示の実施の形態について、図面を参照しながら詳細に説明する。
【００１１】
実施の形態１．
図１から図６までを参照して、実施の形態１に係る表示制御装置１００について説明する。
図１を参照して、実施の形態１に係る表示制御装置１００が適用された仕様検討システム１の要部の構成について説明する。
図１は、実施の形態１に係る表示制御装置１００が適用された仕様検討システム１の要部の構成の一例を示すブロック図である。
仕様検討システム１は、表示制御装置１００、ネットワーク１０、操作入力装置２０、表示装置３０、及び記憶装置４０を備える。
【００１２】
表示制御装置１００は、施工対象の建物付帯設備（以下「施工建物付帯設備」という。）の仕様を検討するためのユーザインタフェースを提供する装置である。具体的には、表示制御装置１００は、建物付帯設備の仕様を制限するための法規を含む表示画像を生成し、生成した表示画像を示す表示画像情報を出力する。
表示制御装置１００の詳細については後述する。
【００１３】
建物付帯設備とは、例えば、昇降機、階段昇降機、電気設備、又は空調設備等の建物に付帯する設備である。
施工とは、建物付帯設備の導入、修繕、更新、又は改修等を行う際の工事又は作業である。
建物付帯設備の仕様を制限するための法規とは、例えば、建物付帯設備が昇降機であり、当該建物付帯設備が日本国内において施工される場合、建築基準法等の法律である。
実施の形態１では、一例として、施工建物付帯設備が昇降機であるものとして説明する。
【００１４】
記憶装置４０は、表示制御装置１００が表示画像を生成する際に必要な情報を記憶する装置である。
【００１５】
ネットワーク１０は、ＬＡＮ（Ｌｏｃａｌ  Ａｒｅａ  Ｎｅｔｗｏｒｋ）等の有線ネットワーク、又は、無線ＬＡＮ等の無線ネットワーク等により構成される情報通信ネットワークである。ネットワーク１０には、例えば、ノードとして、表示制御装置１００及び記憶装置４０が接続されている。
表示制御装置１００及び記憶装置４０は、ネットワーク１０を介して、互いに情報を送受信することができる。表示制御装置１００及び記憶装置４０がネットワーク１０を介して互いに情報を送受信することができれば、例えば、記憶装置４０は、インターネット上に存在するクラウドストレージであってもよい。
【００１６】
操作入力装置２０は、キーボード、マウス、又はタッチパット等の装置であり、施工建物付帯設備を施工する施主（以下、単に「施主」という。）又は営業担当者等のユーザ（以下、単に「ユーザ」という。）からの操作入力（以下「ユーザ操作」という。）を受けて当該ユーザ操作に対応する操作情報を出力する装置である。操作入力装置２０は、表示制御装置１００と接続され、表示制御装置１００は、操作入力装置２０が出力する操作情報を取得して、取得した操作情報に基づく処理を実行する。
【００１７】
表示装置３０は、ディスプレイ等の装置であり、表示画像情報を取得して、取得した表示画像情報が示す表示画像を表示する装置である。
具体的には、表示装置３０は、表示制御装置１００と接続され、表示制御装置１００が出力する表示画像情報を取得して、取得した表示画像情報が示す表示画像を表示する。すなわち、表示制御装置１００は、表示装置３０に表示画像情報を出力して、表示装置３０に表示画像情報が示す表示画像を表示させる。
【００１８】
図２を参照して、実施の形態１に係る表示制御装置１００の要部の構成について説明する。
図２は、実施の形態１に係る表示制御装置１００の要部の構成の一例を示すブロック図である。
表示制御装置１００は、操作取得部１０１、法規取得部１１０、施工地域取得部１１１、仕様項目取得部１２０、施工仕様取得部１３０、施工仕様変更部１３１、項目仕様候補抽出部１３２、選択仕様項目取得部１４０、選択法規取得部１４１、対応法規特定部１５０、対応仕様項目特定部１５１、抵触項目仕様抽出部１６０、表示画像生成部１９０、及び表示画像出力部１９９を備える。
なお、表示制御装置１００において、施工地域取得部１１１、項目仕様候補抽出部１３２、選択仕様項目取得部１４０、選択法規取得部１４１、対応法規特定部１５０、対応仕様項目特定部１５１、及び抵触項目仕様抽出部１６０は、必須の構成ではない。
【００１９】
操作取得部１０１は、操作入力装置２０からユーザ操作を示す操作情報を取得する。
法規取得部１１０は、施工建物付帯設備の施工が完了する時点において施行されている建物付帯設備の仕様を制限するための法規（以下「現在法規」という。）を示す法規情報（以下「現在法規情報」という。）を取得する。
現在法規情報は、記憶装置４０に予め記憶されており、法規取得部１１０は、記憶装置４０から現在法規情報を読み出すことにより現在法規情報を取得する。
【００２０】
上述のように、表示制御装置１００は、施工地域取得部１１１を備えるものであってもよい。
施工地域取得部１１１は、施工建物付帯設備が施工される地域（以下「施工地域」という。）を示す施工地域情報を取得する。具体的には、例えば、施工地域取得部１１１が取得する施工地域情報は、操作取得部１０１が取得する操作情報が示すユーザ操作により与えられる。
表示制御装置１００が施工地域取得部１１１を備える場合、例えば、法規取得部１１０は、施工地域取得部１１１が取得する施工地域情報が示す施工地域において施行されている現在法規（以下「現在地域法規」という。）を示す現在法規情報（以下「地域現在法規情報」という。）を取得する。
以上のように構成することにより、表示制御装置１００は、施工建物付帯設備が施工される地域に対応した現在法規情報を取得することができる。
【００２１】
仕様項目取得部１２０は、建物付帯設備の仕様を構成する複数の項目仕様に対応する複数の仕様項目を示す仕様項目情報を取得する。
施工建物付帯設備が昇降機の場合、仕様項目には、建物の構造、建物の用途、昇降機の用途、階数、停止階床数、又は耐震基準等の基本的な仕様に関する項目、及び、操作盤、操作ボタン、インジケータ、照明、又は幕板等の装飾を伴う仕様に関する項目等がある。昇降機の仕様項目は、上述のものに限定されるものではなく、昇降機の仕様項目には、セキュリティに関する項目、又は、バリアフリーに関する項目等、様々な項目がある。
【００２２】
施工仕様取得部１３０は、施工建物付帯設備の仕様を示す仕様情報（以下「施工仕様情報」という。）を取得する。施工仕様情報が示す施工建物付帯設備の仕様は、建物付帯設備の複数の仕様項目に対応する施工建物付帯設備の複数の項目仕様（以下「施工項目仕様」という。）により構成される。
施工仕様変更部１３１は、操作取得部１０１が取得する操作情報が示すユーザ操作に基づいて、施工仕様情報が示す施工項目仕様を変更することにより施工仕様情報を変更する。
施工仕様取得部１３０は、初期において、例えば、施工仕様情報を新規に生成することにより取得する。施工仕様取得部１３０は、初期において、記憶装置４０に予め記憶された施工仕様情報を、記憶装置４０から読み出すことにより、初期の施工仕様情報を取得してもよい。その後においては、例えば、施工仕様取得部１３０は、施工仕様変更部１３１が変更した後の施工仕様情報を取得する。
【００２３】
表示画像生成部１９０は、施工仕様取得部１３０が取得する施工仕様情報が示す複数の施工項目仕様のそれぞれと、仕様項目取得部１２０が取得する仕様項目情報が示す仕様項目とを対応付けた表示画像であって、法規取得部１１０が取得する現在法規情報が示す現在法規を含む表示画像を生成する。
表示画像出力部１９９は、表示画像生成部１９０が生成した表示画像を表示画像情報として出力する。具体的には、表示画像出力部１９９は、表示画像情報を表示装置３０に出力して、表示装置３０に表示画像情報が示す表示画像を表示させる。
【００２４】
図３を参照して、実施の形態１に係る表示制御装置１００が表示装置３０に表示させる表示画像３００、すなわち、表示画像生成部１９０が生成する表示画像３００について説明する。
図３は、実施の形態１に係る表示制御装置１００が表示装置３０に表示させる表示画像３００の一例を示す説明図である。
図３に示すように、例えば、表示制御装置１００が表示装置３０に表示させる表示画像３００（以下、単に「表示画像３００」という。）入力切替領域３１０、項目仕様入力領域３２０、及び法規表示領域３３０を有する。
【００２５】
項目仕様入力領域３２０は、施工仕様取得部１３０が取得する施工仕様情報が示す複数の施工項目仕様と、仕様項目取得部１２０が取得する仕様項目情報が示す仕様項目とが表示される領域である。
項目仕様入力領域３２０には、複数の仕様項目が配置されている。また、項目仕様入力領域３２０には、仕様項目と、各仕様項目に対応する施工項目仕様を入力するための領域であり入力された施工項目仕様を表示するための領域（以下「項目仕様領域」という）とが、互いに対応付けられた位置に配置されている。
ユーザは、表示装置３０に表示された表示画像３００を見て、操作入力装置２０を操作してユーザ操作を行い、施工項目仕様を入力する。
【００２６】
入力切替領域３１０は、項目仕様入力領域３２０に表示される仕様項目及び項目仕様領域を切り替えるためのボタンが表示される領域である。複数の仕様項目は、予め定められたカテゴリに分類されており、ユーザが操作入力装置２０を介して当該ボタンを選択することにより、選択されたボタンに対応するカテゴリに属する複数の仕様項目及び項目仕様領域が表示される。
図３に示す入力切替領域３１０には、一例として、基本情報、仕上げ情報、案件情報、建築情報、据付情報、及び改修情報に属する仕様項目及び項目仕様領域を、項目仕様入力領域３２０に表示させるためのボタンが配置されている。すなわち、基本情報、仕上げ情報、案件情報、建築情報、据付情報、及び改修情報のそれぞれは、上述のカテゴリに相当する。
ユーザは、表示装置３０に表示された表示画像３００を見て、操作入力装置２０を操作してユーザ操作を行い、入力切替領域３１０に配置されたボタンを選択することにより、項目仕様入力領域３２０に表示させる仕様項目及び項目仕様領域を切り替える。
【００２７】
法規表示領域３３０は、法規取得部１１０が取得する現在法規情報が示す現在法規が表示される領域である。例えば、法規表示領域３３０に表示すべき現在法規が複数ある場合には、図３に示すように、法規表示領域３３０には、現在法規毎、又は現在法規の条文毎に現在法規又は条文を表示させるためのボタン等を表示するようにしてもよい。
以上のように構成することにより、ユーザは、表示装置３０に表示された表示画像３００を見て、施工建物付帯設備の施工が完了する時点において施行されている建物付帯設備の仕様を制限するための法規を確認することができる。すなわち、以上のように構成することにより、表示制御装置１００は、施工建物付帯設備の仕様が法規に適合する仕様であるか否かについて、ユーザに把握させることができる。
【００２８】
上述のように、表示制御装置１００は、項目仕様候補抽出部１３２を備えるものであってもよい。
項目仕様候補抽出部１３２は、法規取得部１１０が取得する現在法規情報に基づいて、ユーザ操作により選択可能な１個以上の項目仕様の候補（以下「項目仕様候補」という。）を仕様項目毎に抽出する。具体的には、項目仕様候補抽出部１３２は、現在法規情報が示す現在法規に抵触しない１個以上の項目仕様候補を抽出する。
より具体的には、例えば、項目仕様候補抽出部１３２は、現在法規情報と、施工仕様取得部１３０が取得する施工仕様情報とに基づいて、施工仕様情報が示す複数の施工項目仕様のうちの既に設定されている施工項目仕様と項目仕様候補との組み合わせが、現在法規情報が示す現在法規に抵触しないように１個以上の項目仕様候補を抽出する。
表示制御装置１００が項目仕様候補抽出部１３２を備える場合、例えば、施工仕様変更部１３１は、項目仕様候補抽出部１３２により抽出された１個以上の項目仕様候補のうちから、操作取得部１０１が取得する操作情報が示すユーザ操作により選択された項目仕様に基づいて、施工仕様情報が示す施工項目仕様を変更することにより施工仕様情報を変更する。
以上のように構成することにより、表示制御装置１００は、施工建物付帯設備の仕様が法規に適合する仕様であるか否かについて、ユーザに把握させつつ、現在法規に抵触する項目仕様をユーザ操作により入力できないようにすることができる。
【００２９】
また、例えば、施工仕様変更部１３１は、操作情報が示すユーザ操作に基づいて変更する施工項目仕様が、法規取得部１１０が取得する現在法規情報が示す現在法規に抵触しない場合に、施工仕様情報を変更するようにしてもよい。
以上のように構成することにより、表示制御装置１００は、施工建物付帯設備の仕様が法規に適合する仕様であるか否かについて、ユーザに把握させつつ、現在法規に抵触する項目仕様がユーザ操作により入力された場合に、施工仕様情報を変更しないようにできる。
【００３０】
上述のように、表示制御装置１００は、抵触項目仕様抽出部１６０を備えるものであってもよい。
抵触項目仕様抽出部１６０は、法規取得部１１０が取得する現在法規情報が示す現在法規に基づいて、施工仕様取得部１３０が取得する施工仕様情報が示す複数の項目仕様のうち、現在法規情報が示す現在法規に抵触する項目仕様（以下「抵触項目仕様」という。）を抽出する。
表示制御装置１００が抵触項目仕様抽出部１６０を備える場合、例えば、表示画像生成部１９０は、抵触項目仕様抽出部１６０が抵触項目仕様を抽出したときに、抵触項目仕様と他の項目仕様とを識別可能な表示画像３００を生成する。
以上のように構成することにより、表示制御装置１００は、施工建物付帯設備の仕様が法規に適合する仕様であるか否かについて、ユーザに把握させることができる。
【００３１】
具体的には、例えば、表示画像生成部１９０は、抵触項目仕様を強調した表示画像３００を生成することにより、抵触項目仕様を識別可能な表示画像３００を生成する。強調とは、例えば、抵触項目仕様を、他の項目仕様より目立たせることである。
例えば、表示画像生成部１９０は、抵触項目仕様又は抵触項目仕様に対応する仕様項目をポップアップ表示可能な表示画像３００を生成することにより、抵触項目仕様を識別可能な表示画像３００を生成する。
表示画像生成部１９０が、抵触項目仕様を識別可能な表示画像３００を生成する方法は、ポップアップ表示可能な表示画像３００を生成する方法に限定されるものではない。
例えば、表示画像生成部１９０は、抵触項目仕様又は抵触項目仕様に対応する仕様項目を、他の項目仕様又は他の仕様項目と異なるフォントを用いた表示画像３００を生成してもよい。フォントは、例えば、文字の大きさ、色、若しくは太さ等の文字表現、又は、下線、枠線、網かけ、若しくは背景色等の文字装飾により決定される。
図３に示す表示画像３００は、抵触項目仕様又は抵触項目仕様に対応する仕様項目が枠線で囲まれたものを示している。
【００３２】
上述のように、表示制御装置１００は、選択仕様項目取得部１４０及び対応法規特定部１５０を備えるものであってもよい。
選択仕様項目取得部１４０は、操作取得部１０１が取得する操作情報に基づいて、操作情報が示すユーザ操作により選択された仕様項目（以下「選択仕様項目」という。）を特定して、選択仕様項目を示す選択仕様項目情報を取得する。
対応法規特定部１５０は、選択仕様項目取得部１４０が取得する選択仕様項目情報に基づいて、現在法規情報が示す現在法規のうちの選択仕様項目情報が示す選択仕様項目に対応する現在法規（以下「対応現在法規」という。）を特定する。
【００３３】
表示制御装置１００が、選択仕様項目取得部１４０及び対応法規特定部１５０を備える場合、例えば、表示画像生成部１９０は、選択仕様項目取得部１４０が選択仕様項目情報を取得したときに、対応法規特定部１５０が特定した対応現在法規と他の現在法規とを識別可能な表示画像３００を生成する。
具体的には、例えば、表示画像生成部１９０は、対応現在法規を強調した表示画像３００を生成することにより、対応現在法規と他の現在法規とを識別可能な表示画像３００を生成する。強調した表示画像３００については、上述したため、説明を省略する。
以上のように構成することにより、ユーザは、ユーザ操作により選択した仕様項目に対応する施工建物付帯設備の施工が完了する時点において施行されている建物付帯設備の仕様を制限するための法規を、表示装置３０に表示された表示画像３００を見て確認することができる。すなわち、以上のように構成することにより、表示制御装置１００は、施工建物付帯設備の仕様が法規に適合する仕様であるか否かについて、ユーザに把握させることができる。
【００３４】
上述のように、表示制御装置１００は、選択法規取得部１４１及び対応仕様項目特定部１５１を備えるものであってもよい。
選択法規取得部１４１は、操作取得部１０１が取得する操作情報に基づいて、操作情報が示すユーザ操作により選択された現在法規（以下「選択現在法規」という。）を特定して、選択現在法規を示す選択現在法規情報を取得する。
対応仕様項目特定部１５１は、選択法規取得部１４１が取得する選択現在法規情報に基づいて、仕様項目情報が示す複数の仕様項目のうちの、選択現在法規情報が示す選択現在法規に対応する仕様項目（以下「対応仕様項目」という。）を特定する。
【００３５】
表示制御装置１００が、選択法規取得部１４１及び対応仕様項目特定部１５１を備える場合、例えば、表示画像生成部１９０は、選択法規取得部１４１が選択現在法規情報を取得したときに、対応仕様項目特定部１５１が特定した対応仕様項目と他の仕様項目とを識別可能な表示画像３００を生成する。
具体的には、例えば、表示画像生成部１９０は、対応仕様項目を強調した表示画像３００を生成することにより、対応仕様項目と他の仕様項目とを識別可能な表示画像３００を生成する。強調した表示画像３００については、上述したため、説明を省略する。
以上のように構成することにより、ユーザは、ユーザ操作により選択した施工建物付帯設備の施工が完了する時点において施行されている建物付帯設備の仕様を制限するための法規に対応する仕様項目を、表示装置３０に表示された表示画像３００を見て確認することができる。すなわち、以上のように構成することにより、表示制御装置１００は、施工建物付帯設備の仕様が法規に適合する仕様であるか否かについて、ユーザに把握させることができる。
【００３６】
図４Ａ及び図４Ｂを参照して、実施の形態１に係る表示制御装置１００の要部のハードウェア構成について説明する。
図４Ａ及び図４Ｂは、実施の形態１に係る表示制御装置１００のハードウェア構成の一例を示すブロック図である。
【００３７】
図４Ａに示す如く、表示制御装置１００は、コンピュータにより構成されており、当該コンピュータはプロセッサ４０１及びメモリ４０２を有している。メモリ４０２には、当該コンピュータを、操作取得部１０１、法規取得部１１０、施工地域取得部１１１、仕様項目取得部１２０、施工仕様取得部１３０、施工仕様変更部１３１、項目仕様候補抽出部１３２、選択仕様項目取得部１４０、選択法規取得部１４１、対応法規特定部１５０、対応仕様項目特定部１５１、抵触項目仕様抽出部１６０、表示画像生成部１９０、及び表示画像出力部１９９として機能させるためのプログラムが記憶されている。メモリ４０２に記憶されているプログラムをプロセッサ４０１が読み出して実行することにより、操作取得部１０１、法規取得部１１０、施工地域取得部１１１、仕様項目取得部１２０、施工仕様取得部１３０、施工仕様変更部１３１、項目仕様候補抽出部１３２、選択仕様項目取得部１４０、選択法規取得部１４１、対応法規特定部１５０、対応仕様項目特定部１５１、抵触項目仕様抽出部１６０、表示画像生成部１９０、及び表示画像出力部１９９の機能が実現される。
【００３８】
また、図４Ｂに示す如く、表示制御装置１００は、処理回路４０３により構成されても良い。この場合、操作取得部１０１、法規取得部１１０、施工地域取得部１１１、仕様項目取得部１２０、施工仕様取得部１３０、施工仕様変更部１３１、項目仕様候補抽出部１３２、選択仕様項目取得部１４０、選択法規取得部１４１、対応法規特定部１５０、対応仕様項目特定部１５１、抵触項目仕様抽出部１６０、表示画像生成部１９０、及び表示画像出力部１９９の機能が処理回路４０３により実現されても良い。
【００３９】
また、表示制御装置１００はプロセッサ４０１、メモリ４０２及び処理回路４０３により構成されても良い（不図示）。この場合、操作取得部１０１、法規取得部１１０、施工地域取得部１１１、仕様項目取得部１２０、施工仕様取得部１３０、施工仕様変更部１３１、項目仕様候補抽出部１３２、選択仕様項目取得部１４０、選択法規取得部１４１、対応法規特定部１５０、対応仕様項目特定部１５１、抵触項目仕様抽出部１６０、表示画像生成部１９０、及び表示画像出力部１９９の機能のうちの一部の機能がプロセッサ４０１及びメモリ４０２により実現されて、残余の機能が処理回路４０３により実現されるものであっても良い。
【００４０】
プロセッサ４０１は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、マイクロプロセッサ、マイクロコントローラ又はＤＳＰ（Ｄｉｇｉｔａｌ  Ｓｉｇｎａｌ  Ｐｒｏｃｅｓｓｏｒ）を用いたものである。
【００４１】
メモリ４０２は、例えば、半導体メモリ又は磁気ディスクを用いたものである。より具体的には、メモリ４０２は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＳＳＤ（Ｓｏｌｉｄ  Ｓｔａｔｅ  Ｄｒｉｖｅ）又はＨＤＤ（Ｈａｒｄ  Ｄｉｓｋ  Ｄｒｉｖｅ）などを用いたものである。
【００４２】
処理回路４０３は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、ＳｏＣ（Ｓｙｓｔｅｍ−ｏｎ−ａ−Ｃｈｉｐ）又はシステムＬＳＩ（Ｌａｒｇｅ−Ｓｃａｌｅ  Ｉｎｔｅｇｒａｔｉｏｎ）を用いたものである。
【００４３】
図５及び図６を参照して、実施の形態１に係る表示制御装置１００の動作について説明する。
図５は、実施の形態１に係る表示制御装置１００の処理の一例を示すフローチャートである。
表示制御装置１００は、例えば、当該フローチャートの処理を実行することにより、初期の表示画像３００を生成して、当該表示画像３００を表示装置３０に表示させる。
図６は、実施の形態１に係る表示制御装置１００の処理の一例を示すフローチャートである。
表示制御装置１００は、例えば、図５に示すフローチャートの処理を実行した後に、図６に示すフローチャートの処理を繰り返し実行する。
【００４４】
まず、ステップＳＴ５０１にて、仕様項目取得部１２０は、仕様項目情報を取得する。
次に、ステップＳＴ５０２にて、施工仕様取得部１３０は、施工仕様情報を新規に生成する。
次に、ステップＳＴ５０３にて、施工地域取得部１１１は、施工地域情報を取得する。
次に、ステップＳＴ５０４にて、法規取得部１１０は、現在法規情報を取得する。
次に、ステップＳＴ５０５にて、表示画像生成部１９０は、表示画像３００を生成する。
次に、ステップＳＴ５０６にて、表示画像出力部１９９は、表示画像情報を出力する。
ステップＳＴ５０６の後、表示制御装置１００は、当該フローチャートの処理を終了する。表示制御装置１００は、当該フローチャートの処理を終了した後、図６に示すフローチャートの処理を実行する。
なお、ステップＳＴ５０４の処理より前にステップＳＴ５０３の処理が実行されれば、ステップＳＴ５０１からステップＳＴ５０４までの処理の順序は任意である。
【００４５】
表示制御装置１００は、図５に示すフローチャートの処理を実行した後、まず、ステップＳＴ６０１にて、操作取得部１０１は、操作情報を取得する。
ステップＳＴ６０１の後、ステップＳＴ６１０にて、施工仕様変更部１３１は、操作取得部１０１が取得する操作情報が示すユーザ操作が、施工仕様情報が示す施工項目仕様を変更するためのものであるか否かを判定する。
【００４６】
ステップＳＴ６１０にて、施工仕様変更部１３１が、ユーザ操作が施工項目仕様を変更するためのものであると判定した場合、ステップＳＴ６１１にて、施工仕様変更部１３１は、施工仕様情報を変更する。
ステップＳＴ６１１の後、ステップＳＴ６１２にて、施工仕様取得部１３０は、施工仕様変更部１３１が変更した後の施工仕様情報を取得する。
ステップＳＴ６１２の後、ステップＳＴ６１３にて、抵触項目仕様抽出部１６０は、現在法規に抵触する項目仕様である抵触項目仕様を抽出する。
ステップＳＴ６１３の後、ステップＳＴ６１４にて、表示画像生成部１９０は、抵触項目仕様と他の項目仕様とを識別可能な表示画像３００を生成する。
ステップＳＴ６１４の後、ステップＳＴ６９９にて、表示画像出力部１９９は、表示画像情報を出力する。
ステップＳＴ６９９の後、表示制御装置１００は、当該フローチャートの処理を終了する。表示制御装置１００は、当該フローチャートの処理を終了した後、ステップＳＴ６０１の処理に戻って、当該フローチャートの処理を繰り返して実行する。
【００４７】
ステップＳＴ６１０にて、施工仕様変更部１３１が、ユーザ操作が施工項目仕様を変更するためのものでないと判定した場合、ステップＳＴ６２０にて、選択仕様項目取得部１４０は、操作取得部１０１が取得する操作情報が示すユーザ操作が、仕様項目を選択するためのものであるか否かを判定する。
【００４８】
ステップＳＴ６２０にて、選択仕様項目取得部１４０が、ユーザ操作が仕様項目を選択するためのものであると判定した場合、ステップＳＴ６２１にて、選択仕様項目取得部１４０は、選択仕様項目情報を取得する。
ステップＳＴ６２１の後、ステップＳＴ６２２にて、対応法規特定部１５０は、対応現在法規を特定する。
ステップＳＴ６２２の後、ステップＳＴ６２３にて、表示画像生成部１９０は、対応現在法規と他の現在法規とを識別可能な表示画像３００を生成する。
ステップＳＴ６２３の後、ステップＳＴ６９９にて、表示画像出力部１９９は、表示画像情報を出力する。
ステップＳＴ６９９の後、表示制御装置１００は、当該フローチャートの処理を終了する。表示制御装置１００は、当該フローチャートの処理を終了した後、ステップＳＴ６０１の処理に戻って、当該フローチャートの処理を繰り返して実行する。
【００４９】
ステップＳＴ６２０にて、選択仕様項目取得部１４０が、ユーザ操作が仕様項目を選択するためのものでないと判定した場合、ステップＳＴ６３０にて、選択法規取得部１４１は、操作取得部１０１が取得する操作情報が示すユーザ操作が、現在法規を選択するためのものであるか否かを判定する。
【００５０】
ステップＳＴ６３０にて、選択法規取得部１４１が、ユーザ操作が現在法規を選択するためのものであると判定した場合、ステップＳＴ６３１にて、選択法規取得部１４１は、選択現在法規情報を取得する。
ステップＳＴ６３１の後、ステップＳＴ６３２にて、対応仕様項目特定部１５１は、対応仕様項目を特定する。
ステップＳＴ６３２の後、ステップＳＴ６３３にて、表示画像生成部１９０は、対応仕様項目と他の仕様項目とを識別可能な表示画像３００を生成する。
ステップＳＴ６３３の後、ステップＳＴ６９９にて、表示画像出力部１９９は、表示画像情報を出力する。
ステップＳＴ６９９の後、表示制御装置１００は、当該フローチャートの処理を終了する。表示制御装置１００は、当該フローチャートの処理を終了した後、ステップＳＴ６０１の処理に戻って、当該フローチャートの処理を繰り返して実行する。
【００５１】
ステップＳＴ６３０にて、選択法規取得部１４１が、ユーザ操作が現在法規を選択するためのものでないと判定した場合、表示制御装置１００は、当該フローチャートの処理を終了する。表示制御装置１００は、当該フローチャートの処理を終了した後、ステップＳＴ６０１の処理に戻って、当該フローチャートの処理を繰り返して実行する。
【００５２】
以上のように、実施の形態１に係る表示制御装置１００は、施工対象の建物付帯設備である施工建物付帯設備の仕様を検討するためのユーザインタフェースを提供する表示制御装置１００であって、施工建物付帯設備の施工が完了する時点において施行されている建物付帯設備の仕様を制限するための法規である現在法規を示す現在法規情報のうちの少なくとも一部を取得する法規取得部１１０と、建物付帯設備の仕様を構成する複数の項目仕様に対応する複数の仕様項目を示す仕様項目情報を取得する仕様項目取得部１２０と、施工建物付帯設備の仕様を示す施工仕様情報であって、複数の仕様項目に対応する施工建物付帯設備の複数の項目仕様である複数の施工項目仕様を示す施工仕様情報を取得する施工仕様取得部１３０と、施工仕様取得部１３０が取得する施工仕様情報が示す複数の施工項目仕様のそれぞれと、仕様項目取得部１２０が取得する仕様項目情報が示す仕様項目とを対応付けた表示画像３００であって、法規取得部１１０が取得する現在法規情報が示す現在法規を含む表示画像３００を生成する表示画像生成部１９０と、表示画像生成部１９０が生成した表示画像３００を表示画像情報として出力する表示画像出力部１９９と、を備えた。
【００５３】
このように構成することにより、ユーザは、表示装置３０に表示された表示画像３００を見て、施工建物付帯設備の施工が完了する時点において施行されている建物付帯設備の仕様を制限するための法規を確認することができる。すなわち、以上のように構成することにより、表示制御装置１００は、施工建物付帯設備の仕様が法規に適合する仕様であるか否かについて、ユーザに把握させることができる。
【００５４】
また、以上のように、実施の形態１に係る表示制御装置１００は、上述の構成に加えて、ユーザ操作を示す操作情報を取得する操作取得部１０１と、操作取得部１０１が取得する操作情報に基づいて、操作情報が示すユーザ操作により選択された仕様項目を特定して、当該仕様項目である選択仕様項目を示す選択仕様項目情報を取得する選択仕様項目取得部１４０と、選択仕様項目取得部１４０が取得する選択仕様項目情報に基づいて、現在法規情報が示す現在法規のうちの選択仕様項目情報が示す選択仕様項目に対応する現在法規である対応現在法規を特定する対応法規特定部１５０と、を備え、表示画像生成部１９０は、選択仕様項目取得部１４０が選択仕様項目情報を取得したときに、対応法規特定部１５０が特定した対応現在法規と他の現在法規とを識別可能な表示画像３００を生成するように構成した。
【００５５】
このように構成することにより、ユーザは、ユーザ操作により選択した仕様項目に対応する施工建物付帯設備の施工が完了する時点において施行されている建物付帯設備の仕様を制限するための法規を、表示装置３０に表示された表示画像３００を見て確認することができる。すなわち、以上のように構成することにより、表示制御装置１００は、施工建物付帯設備の仕様が法規に適合する仕様であるか否かについて、ユーザに把握させることができる。
【００５６】
また、以上のように、実施の形態１に係る表示制御装置１００は、上述の構成に加えて、ユーザ操作を示す操作情報を取得する操作取得部１０１と、操作取得部１０１が取得する操作情報に基づいて、操作情報が示すユーザ操作により選択された現在法規を特定して、当該現在法規である選択現在法規を示す選択現在法規情報を取得する選択法規取得部１４１と、選択法規取得部１４１が取得する選択現在法規情報に基づいて、仕様項目情報が示す複数の仕様項目のうちの、選択現在法規情報が示す選択現在法規に対応する仕様項目である対応仕様項目を特定する対応仕様項目特定部１５１と、を備え、表示画像生成部１９０は、選択法規取得部１４１が選択現在法規情報を取得したときに、対応仕様項目特定部１５１が特定した対応仕様項目と他の仕様項目とを識別可能な表示画像３００を生成するように構成した。
【００５７】
このように構成することにより、ユーザは、ユーザ操作により選択した施工建物付帯設備の施工が完了する時点において施行されている建物付帯設備の仕様を制限するための法規に対応する仕様項目を、表示装置３０に表示された表示画像３００を見て確認することができる。すなわち、以上のように構成することにより、表示制御装置１００は、施工建物付帯設備の仕様が法規に適合する仕様であるか否かについて、ユーザに把握させることができる。
【００５８】
また、以上のように、実施の形態１に係る表示制御装置１００は、上述の構成に加えて、法規取得部１１０が取得する現在法規情報が示す現在法規に基づいて、施工仕様取得部１３０が取得する施工仕様情報が示す複数の項目仕様のうち、現在法規情報が示す現在法規に抵触する項目仕様である抵触項目仕様を抽出する抵触項目仕様抽出部１６０を備え、表示画像生成部１９０は、抵触項目仕様抽出部１６０が抵触項目仕様を抽出したときに、抵触項目仕様と他の項目仕様とを識別可能な表示画像３００を生成するように構成した。
このように構成することにより、表示制御装置１００は、施工建物付帯設備の仕様が法規に適合する仕様であるか否かについて、ユーザに把握させることができる。
【００５９】
また、以上のように、実施の形態１に係る表示制御装置１００は、上述の構成に加えて、ユーザ操作を示す操作情報を取得する操作取得部１０１と、操作取得部１０１が取得する操作情報が示すユーザ操作に基づいて、施工仕様情報が示す施工項目仕様を変更することにより施工仕様情報を変更する施工仕様変更部１３１であって、操作情報が示すユーザ操作に基づいて変更する施工項目仕様が、法規取得部１１０が取得する現在法規情報が示す現在法規に抵触しない場合に、施工仕様情報を変更する施工仕様変更部１３１と、を備え、施工仕様取得部１３０は、施工仕様変更部１３１が変更した後の施工仕様情報を取得するように構成した。
【００６０】
このように構成することにより、表示制御装置１００は、施工建物付帯設備の仕様が法規に適合する仕様であるか否かについて、ユーザに把握させつつ、現在法規に抵触する項目仕様がユーザ操作により入力された場合に、施工仕様情報を変更しないようにできる。
【００６１】
また、以上のように、実施の形態１に係る表示制御装置１００は、上述の構成に加えて、ユーザ操作を示す操作情報を取得する操作取得部１０１と、法規取得部１１０が取得する現在法規情報に基づいて、ユーザ操作により選択可能な１個以上の項目仕様の候補である項目仕様候補を仕様項目毎に抽出する項目仕様候補抽出部１３２であって、現在法規情報が示す現在法規に抵触しない１個以上の項目仕様候補を抽出する項目仕様候補抽出部１３２と、項目仕様候補抽出部１３２が抽出した１個以上の項目仕様候補のうちから、操作取得部１０１が取得する操作情報が示すユーザ操作により選択された項目仕様に基づいて、施工仕様情報が示す施工項目仕様を変更することにより施工仕様情報を変更する施工仕様変更部１３１と、を備え、表示画像生成部１９０は、項目仕様候補抽出部１３２が抽出した１個以上の項目仕様候補のうちから、ユーザ操作により項目仕様を選択可能な表示画像３００を生成し、操作取得部１０１は、仕様項目毎に予め定められた１個以上の項目仕様候補のうちから、ユーザ操作により選択された項目仕様を示す操作情報を取得し、施工仕様取得部１３０は、施工仕様変更部１３１が変更した後の施工仕様情報を取得するように構成した。
【００６２】
このように構成することにより、表示制御装置１００は、施工建物付帯設備の仕様が法規に適合する仕様であるか否かについて、ユーザに把握させつつ、現在法規に抵触する項目仕様をユーザ操作により入力できないようにすることができる。
【００６３】
また、以上のように、実施の形態１に係る表示制御装置１００は、上述の構成に加えて、施工建物付帯設備が施工される地域である施工地域を示す施工地域情報を取得する施工地域取得部１１１を備え、法規取得部１１０は、施工地域取得部１１１が取得する施工地域情報が示す施工地域において施行されている現在法規である現在地域法規を示す現在法規情報である地域現在法規情報のうちの少なくとも一部を取得するように構成した。
このように構成することにより、表示制御装置１００は、施工建物付帯設備の仕様が、施工建物付帯設備が施工される地域に対応した法規に適合する仕様であるか否かについて、ユーザに把握させることができる。
【００６４】
実施の形態２．
図７から図１０を参照して、実施の形態２に係る表示制御装置１００ａについて説明する。
図７を参照して、実施の形態２に係る表示制御装置１００ａが適用された仕様検討システム１ａの要部の構成について説明する。
図７は、実施の形態２に係る表示制御装置１００ａが適用された仕様検討システム１ａの要部の構成の一例を示すブロック図である。
仕様検討システム１ａは、表示制御装置１００ａ、ネットワーク１０、操作入力装置２０、表示装置３０、及び記憶装置４０を備える。
仕様検討システム１ａは、実施の形態１に係る仕様検討システム１と比較して、仕様検討システム１が備える表示制御装置１００が、表示制御装置１００ａに変更されたものである。仕様検討システム１ａが備えるネットワーク１０、操作入力装置２０、表示装置３０、及び記憶装置４０は、実施の形態１に係る仕様検討システム１が備えるネットワーク１０、操作入力装置２０、表示装置３０、及び記憶装置４０と同様であるため、説明を省略する。
【００６５】
表示制御装置１００ａは、施工建物付帯設備の仕様を検討するためのユーザインタフェースを提供する装置である。具体的には、表示制御装置１００ａは、建物付帯設備の仕様を制限するための法規を含む表示画像を生成し、生成した表示画像を示す表示画像情報を出力する。
記憶装置４０は、表示制御装置１００ａが表示画像を生成する際に必要な情報を記憶する。
ネットワーク１０には、例えば、ノードとして、表示制御装置１００ａ及び記憶装置４０が接続されている。
表示制御装置１００ａ及び記憶装置４０は、ネットワーク１０を介して、互いに情報を送受信することができる。
操作入力装置２０は、表示制御装置１００ａと接続され、表示制御装置１００ａは、操作入力装置２０が出力する操作情報を取得して、取得した操作情報に基づく処理を実行する。
表示装置３０は、表示制御装置１００ａと接続され、表示制御装置１００ａは、表示装置３０に表示画像情報を出力して、表示装置３０に表示画像情報が示す表示画像を表示させる。
【００６６】
図８を参照して、実施の形態２に係る表示制御装置１００ａの要部の構成について説明する。
図８は、実施の形態２に係る表示制御装置１００ａの要部の構成の一例を示すブロック図である。
表示制御装置１００ａは、操作取得部１０１、法規取得部１１０ａ、施工地域取得部１１１、仕様項目取得部１２０、施工仕様取得部１３０、施工仕様変更部１３１、選択仕様項目取得部１４０、表示画像生成部１９０ａ、及び表示画像出力部１９９を備える。
【００６７】
表示制御装置１００ａは、実施の形態１に係る表示制御装置１００と比較して、表示制御装置１００が備える項目仕様候補抽出部１３２、選択法規取得部１４１、対応法規特定部１５０、対応仕様項目特定部１５１、及び抵触項目仕様抽出部１６０が、削除され、法規取得部１１０及び表示画像生成部１９０が、法規取得部１１０ａ及び表示画像生成部１９０ａに変更されたものである。
表示制御装置１００ａが備える操作取得部１０１、施工地域取得部１１１、仕様項目取得部１２０、施工仕様取得部１３０、施工仕様変更部１３１、選択仕様項目取得部１４０、及び表示画像出力部１９９は、実施の形態１に係る表示制御装置１００が備える操作取得部１０１、施工地域取得部１１１、仕様項目取得部１２０、施工仕様取得部１３０、施工仕様変更部１３１、選択仕様項目取得部１４０、及び表示画像出力部１９９と同様であるため、説明を省略する。
【００６８】
法規取得部１１０ａは、施工建物付帯設備の施工が完了する時点において施行されている建物付帯設備の仕様を制限するための法規である現在法規を示す現在法規情報のうちの少なくとも一部を取得する。法規取得部１１０ａは、記憶装置４０から現在法規情報を読み出すことにより現在法規情報を取得する。
表示制御装置１００ａが施工地域取得部１１１を備える場合、法規取得部１１０ａは、施工地域取得部１１１が取得する施工地域情報が示す施工地域において施行されている現在地域法規を示す地域現在法規情報を取得してもよい。
具体的には、法規取得部１１０ａは、選択仕様項目取得部１４０が取得する選択仕様項目情報に基づいて、現在法規情報のうちの、選択仕様項目情報が示す選択仕様項目に対応する対応現在法規を示す対応現在法規情報を取得する。
【００６９】
表示画像生成部１９０ａは、施工仕様取得部１３０が取得する施工仕様情報が示す複数の施工項目仕様のそれぞれと、仕様項目取得部１２０が取得する仕様項目情報が示す仕様項目とを対応付けた表示画像であって、法規取得部１１０ａが取得する現在法規情報が示す現在法規を含む表示画像を生成する。
具体的には、表示画像生成部１９０ａは、選択仕様項目取得部１４０が選択仕様項目情報を取得したときに、法規取得部１１０ａが取得する対応現在法規情報が示す対応現在法規を含む表示画像を生成する。
表示画像出力部１９９は、表示画像生成部１９０ａが生成した表示画像を表示画像情報として出力する。
【００７０】
以上のように構成することにより、ユーザは、ユーザ操作により選択した仕様項目に対応する施工建物付帯設備の施工が完了する時点において施行されている建物付帯設備の仕様を制限するための法規を、表示装置３０に表示された表示画像を見て確認することができる。すなわち、以上のように構成することにより、表示制御装置１００ａは、施工建物付帯設備の仕様が法規に適合する仕様であるか否かについて、ユーザに把握させることができる。
【００７１】
なお、表示制御装置１００ａが備える操作取得部１０１、法規取得部１１０ａ、施工地域取得部１１１、仕様項目取得部１２０、施工仕様取得部１３０、施工仕様変更部１３１、選択仕様項目取得部１４０、表示画像生成部１９０ａ、及び表示画像出力部１９９の各機能は、図４Ａ及び図４Ｂに一例を示したハードウェア構成におけるプロセッサ４０１及びメモリ４０２により実現されるものであっても良く、又は処理回路４０３により実現されるものであっても良い。
【００７２】
図９及び図１０を参照して、実施の形態２に係る表示制御装置１００ａの動作について説明する。
図９は、実施の形態２に係る表示制御装置１００ａの処理の一例を説明するフローチャートである。
表示制御装置１００ａは、例えば、当該フローチャートの処理を実行することにより、初期の表示画像を生成して、当該表示画像を表示装置３０に表示させる。
図１０は、実施の形態２に係る表示制御装置１００ａの処理の一例を示すフローチャートである。
表示制御装置１００ａは、例えば、図９に示すフローチャートの処理を実行した後に、図１０に示すフローチャートの処理を繰り返し実行する。
【００７３】
まず、ステップＳＴ９０１にて、仕様項目取得部１２０は、仕様項目情報を取得する。
次に、ステップＳＴ９０２にて、施工仕様取得部１３０は、施工仕様情報を新規に生成する。
次に、ステップＳＴ９０３にて、表示画像生成部１９０ａは、表示画像を生成する。
次に、ステップＳＴ９０４にて、表示画像出力部１９９は、表示画像情報を出力する。
ステップＳＴ９０４の後、表示制御装置１００ａは、当該フローチャートの処理を終了する。表示制御装置１００ａは、当該フローチャートの処理を終了した後、図１０に示すフローチャートの処理を実行する。
なお、ステップＳＴ９０１及びステップＳＴ９０２の処理の順序は任意である。
【００７４】
表示制御装置１００ａは、図９に示すフローチャートの処理を実行した後、まず、ステップＳＴ１００１にて、操作取得部１０１は、操作情報を取得する。
ステップＳＴ１００１の後、ステップＳＴ１０１０にて、施工仕様変更部１３１は、操作取得部１０１が取得する操作情報が示すユーザ操作が、施工仕様情報が示す施工項目仕様を変更するためのものであるか否かを判定する。
【００７５】
ステップＳＴ１０１０にて、施工仕様変更部１３１が、ユーザ操作が施工項目仕様を変更するためのものであると判定した場合、ステップＳＴ１０１１にて、施工仕様変更部１３１は、施工仕様情報を変更する。
ステップＳＴ１０１１の後、ステップＳＴ１０１２にて、施工仕様取得部１３０は、施工仕様変更部１３１が変更した後の施工仕様情報を取得する。
ステップＳＴ１０１３の後、ステップＳＴ１０１３にて、表示画像生成部１９０ａは、表示画像を生成する。
ステップＳＴ１０１４の後、ステップＳＴ１０９９にて、表示画像出力部１９９は、表示画像情報を出力する。
ステップＳＴ１０９９の後、表示制御装置１００ａは、当該フローチャートの処理を終了する。表示制御装置１００ａは、当該フローチャートの処理を終了した後、ステップＳＴ１００１の処理に戻って、当該フローチャートの処理を繰り返して実行する。
【００７６】
ステップＳＴ１０１０にて、施工仕様変更部１３１が、ユーザ操作が施工項目仕様を変更するためのものでないと判定した場合、ステップＳＴ１０２０にて、選択仕様項目取得部１４０は、操作取得部１０１が取得する操作情報が示すユーザ操作が、仕様項目を選択するためのものであるか否かを判定する。
【００７７】
ステップＳＴ１０２０にて、選択仕様項目取得部１４０が、ユーザ操作が仕様項目を選択するためのものであると判定した場合、ステップＳＴ１０２１にて、選択仕様項目取得部１４０は、選択仕様項目情報を取得する。
ステップＳＴ１０２１の後、ステップＳＴ１０２２にて、法規取得部１１０ａは、対応現在法規情報を取得する。
ステップＳＴ１０２２の後、ステップＳＴ１０２３にて、表示画像生成部１９０ａは、対応現在法規情報が示す対応現在法規を含む表示画像を生成する。
ステップＳＴ１０２３の後、ステップＳＴ１０９９にて、表示画像出力部１９９は、表示画像情報を出力する。
ステップＳＴ１０９９の後、表示制御装置１００ａは、当該フローチャートの処理を終了する。表示制御装置１００ａは、当該フローチャートの処理を終了した後、ステップＳＴ１００１の処理に戻って、当該フローチャートの処理を繰り返して実行する。
【００７８】
ステップＳＴ１０２０にて、選択仕様項目取得部１４０が、ユーザ操作が仕様項目を選択するためのものでないと判定した場合、表示制御装置１００ａは、当該フローチャートの処理を終了する。表示制御装置１００ａは、当該フローチャートの処理を終了した後、ステップＳＴ１００１の処理に戻って、当該フローチャートの処理を繰り返して実行する。
【００７９】
以上のように、実施の形態２に係る表示制御装置１００ａは、施工対象の建物付帯設備である施工建物付帯設備の仕様を検討するためのユーザインタフェースを提供する表示制御装置１００ａであって、施工建物付帯設備の施工が完了する時点において施行されている建物付帯設備の仕様を制限するための法規である現在法規を示す現在法規情報のうちの少なくとも一部を取得する法規取得部１１０ａと、建物付帯設備の仕様を構成する複数の項目仕様に対応する複数の仕様項目を示す仕様項目情報を取得する仕様項目取得部１２０と、施工建物付帯設備の仕様を示す施工仕様情報であって、複数の仕様項目に対応する施工建物付帯設備の複数の項目仕様である複数の施工項目仕様を示す施工仕様情報を取得する施工仕様取得部１３０と、施工仕様取得部１３０が取得する施工仕様情報が示す複数の施工項目仕様のそれぞれと、仕様項目取得部１２０が取得する仕様項目情報が示す仕様項目とを対応付けた表示画像であって、法規取得部１１０ａが取得する現在法規情報が示す現在法規を含む表示画像を生成する表示画像生成部１９０ａと、表示画像生成部１９０ａが生成した表示画像を表示画像情報として出力する表示画像出力部１９９と、ユーザ操作を示す操作情報を取得する操作取得部１０１と、操作取得部１０１が取得する操作情報に基づいて、操作情報が示すユーザ操作により選択された仕様項目を特定して、当該仕様項目である選択仕様項目を示す選択仕様項目情報を取得する選択仕様項目取得部１４０と、を備え、法規取得部１１０ａは、選択仕様項目取得部１４０が取得する選択仕様項目情報に基づいて、現在法規情報のうちの、選択仕様項目情報が示す選択仕様項目に対応する現在法規である対応現在法規を示す対応現在法規情報を取得し、表示画像生成部１９０ａは、選択仕様項目取得部１４０が選択仕様項目情報を取得したときに、法規取得部１１０ａが取得する対応現在法規情報が示す対応現在法規を含む表示画像を生成するように構成した。
【００８０】
このように構成することにより、ユーザは、ユーザ操作により選択した仕様項目に対応する施工建物付帯設備の施工が完了する時点において施行されている建物付帯設備の仕様を制限するための法規を、表示装置３０に表示された表示画像を見て確認することができる。すなわち、以上のように構成することにより、表示制御装置１００ａは、施工建物付帯設備の仕様が法規に適合する仕様であるか否かについて、ユーザに把握させることができる。
【００８１】
実施の形態３．
図１１から図１４を参照して、実施の形態３に係る表示制御装置１００ｂについて説明する。
図１１を参照して、実施の形態３に係る表示制御装置１００ｂが適用された仕様検討システム１ｂの要部の構成について説明する。
図１１は、実施の形態３に係る表示制御装置１００ｂが適用された仕様検討システム１ｂの要部の構成の一例を示すブロック図である。
仕様検討システム１ｂは、表示制御装置１００ｂ、ネットワーク１０、操作入力装置２０、表示装置３０、及び記憶装置４０を備える。
仕様検討システム１ｂは、実施の形態１に係る仕様検討システム１と比較して、仕様検討システム１が備える表示制御装置１００が、表示制御装置１００ｂに変更されたものである。仕様検討システム１ｂが備えるネットワーク１０、操作入力装置２０、表示装置３０、及び記憶装置４０は、実施の形態１に係る仕様検討システム１が備えるネットワーク１０、操作入力装置２０、表示装置３０、及び記憶装置４０と同様であるため、説明を省略する。
【００８２】
表示制御装置１００ｂは、施工建物付帯設備の仕様を検討するためのユーザインタフェースを提供する装置である。具体的には、表示制御装置１００ｂは、建物付帯設備の仕様を制限するための法規を含む表示画像を生成し、生成した表示画像を示す表示画像情報を出力する。
記憶装置４０は、表示制御装置１００ｂが表示画像を生成する際に必要な情報を記憶する。
ネットワーク１０には、例えば、ノードとして、表示制御装置１００ｂ及び記憶装置４０が接続されている。
表示制御装置１００ｂ及び記憶装置４０は、ネットワーク１０を介して、互いに情報を送受信することができる。
操作入力装置２０は、表示制御装置１００ｂと接続され、表示制御装置１００ｂは、操作入力装置２０が出力する操作情報を取得して、取得した操作情報に基づく処理を実行する。
表示装置３０は、表示制御装置１００ｂと接続され、表示制御装置１００ｂは、表示装置３０に表示画像情報を出力して、表示装置３０に表示画像情報が示す表示画像を表示させる。
【００８３】
図１２を参照して、実施の形態３に係る表示制御装置１００ｂの要部の構成について説明する。
図１２は、実施の形態３に係る表示制御装置１００ｂの要部の構成の一例を示すブロック図である。
表示制御装置１００ｂは、操作取得部１０１、法規取得部１１０ｂ、施工地域取得部１１１、仕様項目取得部１２０、施工仕様取得部１３０、施工仕様変更部１３１、項目仕様候補抽出部１３２、選択仕様項目取得部１４０、選択法規取得部１４１ｂ、対応法規特定部１５０ｂ、対応仕様項目特定部１５１ｂ、抵触項目仕様抽出部１６０、施工判定部１７０ｂ、過去施工時点取得部１８０ｂ、表示画像生成部１９０ｂ、及び表示画像出力部１９９を備える。
表示制御装置１００ｂは、実施の形態１に係る表示制御装置１００と比較して、施工判定部１７０ｂ及び過去施工時点取得部１８０ｂが、追加され、法規取得部１１０、選択法規取得部１４１、対応法規特定部１５０、対応仕様項目特定部１５１、及び表示画像生成部１９０が、法規取得部１１０ｂ、選択法規取得部１４１ｂ、対応法規特定部１５０ｂ、対応仕様項目特定部１５１ｂ、及び表示画像生成部１９０ｂに変更されたものである。
【００８４】
表示制御装置１００ｂが備える操作取得部１０１、施工地域取得部１１１、仕様項目取得部１２０、施工仕様取得部１３０、施工仕様変更部１３１、項目仕様候補抽出部１３２、選択仕様項目取得部１４０、抵触項目仕様抽出部１６０、及び表示画像出力部１９９は、実施の形態１に係る表示制御装置１００が備える操作取得部１０１、施工地域取得部１１１、仕様項目取得部１２０、施工仕様取得部１３０、施工仕様変更部１３１、項目仕様候補抽出部１３２、選択仕様項目取得部１４０、抵触項目仕様抽出部１６０、及び表示画像出力部１９９と同様であるため、説明を省略する。
なお、表示制御装置１００ｂにおいて、施工地域取得部１１１、項目仕様候補抽出部１３２、選択仕様項目取得部１４０、選択法規取得部１４１ｂ、対応法規特定部１５０ｂ、対応仕様項目特定部１５１ｂ、及び抵触項目仕様抽出部１６０は、必須の構成ではない。
【００８５】
施工判定部１７０ｂは、施工建物付帯設備の施工が、既存の建物付帯設備（以下「既存建物付帯設備」という。）の修繕、更新、又は改修である否かを判定する。例えば、施工判定部１７０ｂは、操作取得部１０１が取得する操作情報が示すユーザ操作に基づいて、施工建物付帯設備の施工が、既存建物付帯設備の修繕、更新、又は改修である否かを判定する。
【００８６】
過去施工時点取得部１８０ｂは、施工判定部１７０ｂが既存建物付帯設備の修繕、更新、又は改修であると判定した場合に、既存建物付帯設備の施工が完了した時点を示す過去施工時点情報を取得する。
具体的には、例えば、過去施工時点取得部１８０ｂが取得する過去施工時点情報は、操作取得部１０１が取得する操作情報が示すユーザ操作により与えられる。過去施工時点情報は、記憶装置４０に予め記憶されており、過去施工時点取得部１８０ｂは、記憶装置４０から過去施工時点情報を読み出すことにより過去施工時点情報を取得してもよい。
【００８７】
法規取得部１１０ｂは、施工建物付帯設備の施工が完了する時点において施行されている建物付帯設備の仕様を制限するための現在法規を示す現在法規情報のうちの少なくとも一部を取得する。
更に、法規取得部１１０ｂは、現在法規情報に加えて、過去施工時点取得部１８０ｂが取得する過去施工時点情報が示す時点に施行されていた建物付帯設備の仕様を制限するための法規（以下「過去法規」という。）を示す法規情報（以下「過去法規情報」という。）の少なくとも一部を取得する。
法規取得部１１０ｂは、記憶装置４０から現在法規情報及び過去法規情報を読み出すことにより現在法規情報及び過去法規情報を取得する。
【００８８】
表示制御装置１００ｂが施工地域取得部１１１を備える場合、例えば、法規取得部１１０ｂは、施工地域取得部１１１が取得する施工地域情報が示す施工地域において施行されている現在地域法規を示す地域現在法規情報のうちの少なくとも一部と、過去施工時点情報が示す時点において施工地域情報が示す施工地域に施行されていた過去法規（以下「過去地域法規」という。）を示す過去法規情報（以下「地域過去法規情報」という。）のうちの少なくとも一部とを取得してもよい。
【００８９】
表示画像生成部１９０ｂは、施工仕様取得部１３０が取得する施工仕様情報が示す複数の施工項目仕様のそれぞれと、仕様項目取得部１２０が取得する仕様項目情報が示す仕様項目とを対応付けた表示画像であって、法規取得部１１０ｂが取得する現在法規情報が示す現在法規を含む表示画像を生成する。
具体的には、表示画像生成部１９０ｂは、法規取得部１１０ｂが取得する現在法規情報が示す現在法規及び過去法規情報が示す過去法規を含む表示画像を生成する。
表示画像生成部１９０ｂは、現在法規を含む表示画像を生成する際に、現在法規が過去法規に対して変更されている箇所と変更されていない箇所とを識別可能な表示画像を生成してもよい。
表示画像出力部１９９は、表示画像生成部１９０ｂが生成した表示画像を表示画像情報として出力する。
【００９０】
以上のように構成することにより、ユーザは、表示装置３０に表示された表示画像を見て、既存建物付帯設備の施工が完了した時点において施行されていた建物付帯設備の仕様を制限するための法規を確認しつつ、施工建物付帯設備の施工が完了する時点において施行されている建物付帯設備の仕様を制限するための法規を確認することができる。すなわち、以上のように構成することにより、表示制御装置１００ｂは、施工建物付帯設備の仕様が、現在法規に適合する仕様であるか否かについて、ユーザに把握させることができる。
【００９１】
上述のように、表示制御装置１００ｂは、抵触項目仕様抽出部１６０を備えるものであってもよい。
表示制御装置１００ｂが抵触項目仕様抽出部１６０を備える場合、例えば、表示画像生成部１９０ｂは、抵触項目仕様抽出部１６０が抵触項目仕様を抽出したときに、抵触項目仕様と他の項目仕様とを識別可能な表示画像を生成する。
以上のように構成することにより、表示制御装置１００ｂは、施工建物付帯設備の仕様が現在法規に適合する仕様であるか否かについて、ユーザに把握させることができる。
【００９２】
上述のように、表示制御装置１００ｂは、選択仕様項目取得部１４０及び対応法規特定部１５０ｂを備えるものであってもよい。
対応法規特定部１５０ｂは、選択仕様項目取得部１４０が取得する選択仕様項目情報に基づいて、現在法規情報が示す現在法規のうちの選択仕様項目情報が示す選択仕様項目に対応する対応現在法規と、過去法規情報が示す過去法規のうちの選択仕様項目情報が示す選択仕様項目に対応する過去法規（以下「対応過去法規」という。）とを特定する。
【００９３】
表示制御装置１００ｂが、選択仕様項目取得部１４０及び対応法規特定部１５０ｂを備える場合、例えば、表示画像生成部１９０ｂは、選択仕様項目取得部１４０が選択仕様項目情報を取得したときに、対応法規特定部１５０ｂが特定した対応現在法規又は対応過去法規と他の現在法規又は過去法規とを識別可能な表示画像を生成する。
具体的には、例えば、表示画像生成部１９０ｂは、対応現在法規又は対応過去法規を強調した表示画像を生成することにより、対応現在法規又は対応過去法規と他の現在法規又は過去法規とを識別可能な表示画像を生成する。強調した表示画像については、上述したため、説明を省略する。
【００９４】
以上のように構成することにより、ユーザは、表示装置３０に表示された表示画像を見て、既存建物付帯設備の施工が完了した時点において施行されていた建物付帯設備の仕様を制限するための法規を確認しつつ、施工建物付帯設備の施工が完了する時点において施行されている建物付帯設備の仕様を制限するための法規を確認することができる。すなわち、以上のように構成することにより、表示制御装置１００ｂは、施工建物付帯設備の仕様が、現在法規に適合する仕様であるか否かについて、ユーザに把握させることができる。
【００９５】
上述のように、表示制御装置１００ｂは、選択法規取得部１４１ｂ及び対応仕様項目特定部１５１ｂを備えるものであってもよい。
選択法規取得部１４１ｂは、操作取得部１０１が取得する操作情報に基づいて、操作情報が示すユーザ操作により選択された現在法規又は過去法規を特定して、特定した現在法規である選択現在法規を示す選択現在法規情報、又は、特定した過去法規である選択過去法規を示す選択過去法規情報を取得する。
対応仕様項目特定部１５１ｂは、選択法規取得部１４１ｂが取得する選択現在法規情報又は選択過去法規情報に基づいて、仕様項目情報が示す複数の仕様項目のうちの、選択現在法規情報が示す選択現在法規、又は選択過去法規情報が示す選択過去法規に対応する仕様項目である対応仕様項目を特定する。
【００９６】
表示制御装置１００ｂが、選択法規取得部１４１ｂ及び対応仕様項目特定部１５１ｂを備える場合、例えば、表示画像生成部１９０ｂは、選択法規取得部１４１ｂが選択現在法規情報又は選択過去法規情報を取得したときに、対応仕様項目特定部１５１ｂが特定した対応仕様項目と他の仕様項目とを識別可能な表示画像を生成する。
具体的には、例えば、表示画像生成部１９０ｂは、対応仕様項目を強調した表示画像を生成することにより、対応仕様項目と他の仕様項目とを識別可能な表示画像を生成する。強調した表示画像については、上述したため、説明を省略する。
【００９７】
以上のように構成することにより、ユーザは、表示装置３０に表示された表示画像を見て、既存建物付帯設備の施工が完了した時点において施行されていた建物付帯設備の仕様を制限するための法規を確認しつつ、施工建物付帯設備の施工が完了する時点において施行されている建物付帯設備の仕様を制限するための法規を確認することができる。すなわち、以上のように構成することにより、表示制御装置１００ｂは、施工建物付帯設備の仕様が、現在法規に適合する仕様であるか否かについて、ユーザに把握させることができる。
【００９８】
なお、表示制御装置１００ｂが備える操作取得部１０１、法規取得部１１０ｂ、施工地域取得部１１１、仕様項目取得部１２０、施工仕様取得部１３０、施工仕様変更部１３１、項目仕様候補抽出部１３２、選択仕様項目取得部１４０、選択法規取得部１４１ｂ、対応法規特定部１５０ｂ、対応仕様項目特定部１５１ｂ、抵触項目仕様抽出部１６０、施工判定部１７０ｂ、過去施工時点取得部１８０ｂ、表示画像生成部１９０ｂ、及び表示画像出力部１９９の各機能は、図４Ａ及び図４Ｂに一例を示したハードウェア構成におけるプロセッサ４０１及びメモリ４０２により実現されるものであっても良く、又は処理回路４０３により実現されるものであっても良い。
【００９９】
図１３及び図１４を参照して、実施の形態３に係る表示制御装置１００ｂの動作について説明する。
図１３は、実施の形態３に係る表示制御装置１００ｂの処理の一例を説明するフローチャートである。
表示制御装置１００ｂは、例えば、当該フローチャートの処理を実行することにより、初期の表示画像を生成して、当該表示画像を表示装置３０に表示させる。
図１４は、実施の形態３に係る表示制御装置１００ｂの処理の一例を示すフローチャートである。
表示制御装置１００ｂは、例えば、図１３に示すフローチャートの処理を実行した後に、図１４に示すフローチャートの処理を繰り返し実行する。
【０１００】
まず、ステップＳＴ１３０１にて、施工判定部１７０ｂは、施工建物付帯設備の施工が、既存建物付帯設備の修繕、更新、又は改修である否かを判定する。
ステップＳＴ１３０１にて、施工判定部１７０ｂが、施工建物付帯設備の施工が、既存建物付帯設備の修繕、更新、又は改修でないと判定した場合、例えば、表示制御装置１００ｂは、当該フローチャートの処理を終了し、終了後に、実施に形態１に係る表示制御装置１００の処理を示す図５及び図６に示すフローチャートの処理を実行する。
ステップＳＴ１３０１にて、施工判定部１７０ｂが、施工建物付帯設備の施工が、既存建物付帯設備の修繕、更新、又は改修であると判定した場合、ステップＳＴ１３０２にて、過去施工時点取得部１８０ｂは、既存建物付帯設備の施工が完了した時点を示す過去施工時点情報を取得する。
【０１０１】
ステップＳＴ１３０２の後、ステップＳＴ１３１１にて、仕様項目取得部１２０は、仕様項目情報を取得する。
ステップＳＴ１３１１の後、ステップＳＴ１３１２にて、施工仕様取得部１３０は、施工仕様情報を新規に生成する。
ステップＳＴ１３１２の後、ステップＳＴ１３１３にて、施工地域取得部１１１は、施工地域情報を取得する。
ステップＳＴ１３１３の後、ステップＳＴ１３１４にて、法規取得部１１０ｂは、現在法規情報及び過去法規情報を取得する。
ステップＳＴ１３１４の後、ステップＳＴ１３１５にて、表示画像生成部１９０ｂは、表示画像を生成する。
ステップＳＴ１３１５の後、ステップＳＴ１３１６にて、表示画像出力部１９９は、表示画像情報を出力する。
ステップＳＴ１３１６の後、表示制御装置１００ｂは、当該フローチャートの処理を終了する。表示制御装置１００ｂは、当該フローチャートの処理を終了した後、図６に示すフローチャートの処理を実行する。
なお、ステップＳＴ１３１４の処理より前にステップＳＴ１３１３の処理が実行されれば、ステップＳＴ１３１１からステップＳＴ１３１４までの処理の順序は任意である。
【０１０２】
表示制御装置１００ｂは、図１３に示すフローチャートの処理を実行した後、具体的には、ステップＳＴ１３１６の処理の後、まず、ステップＳＴ１４０１にて、操作取得部１０１は、操作情報を取得する。
ステップＳＴ１４０１の後、ステップＳＴ１４１０にて、施工仕様変更部１３１は、操作取得部１０１が取得する操作情報が示すユーザ操作が、施工仕様情報が示す施工項目仕様を変更するためのものであるか否かを判定する。
【０１０３】
ステップＳＴ１４１０にて、施工仕様変更部１３１が、ユーザ操作が施工項目仕様を変更するためのものであると判定した場合、ステップＳＴ１４１１にて、施工仕様変更部１３１は、施工仕様情報を変更する。
ステップＳＴ１４１１の後、ステップＳＴ１４１２にて、施工仕様取得部１３０は、施工仕様変更部１３１が変更した後の施工仕様情報を取得する。
ステップＳＴ１４１２の後、ステップＳＴ１４１３にて、抵触項目仕様抽出部１６０は、現在法規に抵触する項目仕様である抵触項目仕様を抽出する。
ステップＳＴ１４１３の後、ステップＳＴ１４１４にて、表示画像生成部１９０ｂは、抵触項目仕様と他の項目仕様とを識別可能な表示画像を生成する。
ステップＳＴ１４１４の後、ステップＳＴ１４９９にて、表示画像出力部１９９は、表示画像情報を出力する。
ステップＳＴ１４９９の後、表示制御装置１００ｂは、当該フローチャートの処理を終了する。表示制御装置１００ｂは、当該フローチャートの処理を終了した後、ステップＳＴ１４０１の処理に戻って、当該フローチャートの処理を繰り返して実行する。
【０１０４】
ステップＳＴ１４１０にて、施工仕様変更部１３１が、ユーザ操作が施工項目仕様を変更するためのものでないと判定した場合、ステップＳＴ１４２０にて、選択仕様項目取得部１４０は、操作取得部１０１が取得する操作情報が示すユーザ操作が、仕様項目を選択するためのものであるか否かを判定する。
【０１０５】
ステップＳＴ１４２０にて、選択仕様項目取得部１４０が、ユーザ操作が仕様項目を選択するためのものであると判定した場合、ステップＳＴ１４２１にて、選択仕様項目取得部１４０は、選択仕様項目情報を取得する。
ステップＳＴ１４２１の後、ステップＳＴ１４２２にて、対応法規特定部１５０ｂは、対応現在法規及び対応過去法規を特定する。
ステップＳＴ１４２２の後、ステップＳＴ１４２３にて、表示画像生成部１９０ｂは、対応現在法規又は対応過去法規と他の現在法規又は過去法規とを識別可能な表示画像を生成する。
ステップＳＴ１４２３の後、ステップＳＴ１４９９にて、表示画像出力部１９９は、表示画像情報を出力する。
ステップＳＴ１４９９の後、表示制御装置１００ｂは、当該フローチャートの処理を終了する。表示制御装置１００ｂは、当該フローチャートの処理を終了した後、ステップＳＴ１４０１の処理に戻って、当該フローチャートの処理を繰り返して実行する。
【０１０６】
ステップＳＴ１４２０にて、選択仕様項目取得部１４０が、ユーザ操作が仕様項目を選択するためのものでないと判定した場合、ステップＳＴ１４３０にて、選択法規取得部１４１ｂは、操作取得部１０１が取得する操作情報が示すユーザ操作が、現在法規又は過去法規を選択するためのものであるか否かを判定する。
【０１０７】
ステップＳＴ１４３０にて、選択法規取得部１４１ｂが、ユーザ操作が現在法規又は過去法規を選択するためのものであると判定した場合、ステップＳＴ１４３１にて、選択法規取得部１４１ｂは、選択現在法規情報又は選択過去法規情報を取得する。
ステップＳＴ１４３１の後、ステップＳＴ１４３２にて、対応仕様項目特定部１５１ｂは、対応仕様項目を特定する。
ステップＳＴ１４３２の後、ステップＳＴ１４３３にて、表示画像生成部１９０ｂは、対応仕様項目と他の仕様項目とを識別可能な表示画像を生成する。
ステップＳＴ１４３３の後、ステップＳＴ１４９９にて、表示画像出力部１９９は、表示画像情報を出力する。
ステップＳＴ１４９９の後、表示制御装置１００ｂは、当該フローチャートの処理を終了する。表示制御装置１００ｂは、当該フローチャートの処理を終了した後、ステップＳＴ１４０１の処理に戻って、当該フローチャートの処理を繰り返して実行する。
【０１０８】
ステップＳＴ１４３０にて、選択法規取得部１４１ｂが、ユーザ操作が現在法規を選択するためのものでないと判定した場合、表示制御装置１００ｂは、当該フローチャートの処理を終了する。表示制御装置１００ｂは、当該フローチャートの処理を終了した後、ステップＳＴ１４０１の処理に戻って、当該フローチャートの処理を繰り返して実行する。
【０１０９】
以上のように、実施の形態３に係る表示制御装置１００ｂは、施工対象の建物付帯設備である施工建物付帯設備の仕様を検討するためのユーザインタフェースを提供する表示制御装置１００ｂであって、施工建物付帯設備の施工が完了する時点において施行されている建物付帯設備の仕様を制限するための法規である現在法規を示す現在法規情報のうちの少なくとも一部を取得する法規取得部１１０ｂと、建物付帯設備の仕様を構成する複数の項目仕様に対応する複数の仕様項目を示す仕様項目情報を取得する仕様項目取得部１２０と、施工建物付帯設備の仕様を示す施工仕様情報であって、複数の仕様項目に対応する施工建物付帯設備の複数の項目仕様である複数の施工項目仕様を示す施工仕様情報を取得する施工仕様取得部１３０と、施工仕様取得部１３０が取得する施工仕様情報が示す複数の施工項目仕様のそれぞれと、仕様項目取得部１２０が取得する仕様項目情報が示す仕様項目とを対応付けた表示画像であって、法規取得部１１０ｂが取得する現在法規情報が示す現在法規を含む表示画像を生成する表示画像生成部１９０ｂと、表示画像生成部１９０ｂが生成した表示画像を表示画像情報として出力する表示画像出力部１９９と、施工建物付帯設備の施工が、既存の建物付帯設備である既存建物付帯設備の修繕、更新、又は改修である否かを判定する施工判定部１７０ｂと、施工判定部１７０ｂが既存建物付帯設備の修繕、更新、又は改修であると判定した場合に、既存建物付帯設備の施工が完了した時点を示す過去施工時点情報を取得する過去施工時点取得部１８０ｂと、を備え、法規取得部１１０ｂは、現在法規情報に加えて、過去施工時点取得部１８０ｂが取得する過去施工時点情報が示す時点に施行されていた建物付帯設備の仕様を制限するための法規である過去法規を示す過去法規情報の少なくとも一部を取得し、表示画像生成部１９０ｂは、法規取得部１１０ｂが取得する現在法規情報が示す現在法規及び過去法規情報が示す過去法規を含む表示画像を生成するように構成した。
【０１１０】
このように構成することにより、ユーザは、表示装置３０に表示された表示画像を見て、既存建物付帯設備の施工が完了した時点において施行されていた建物付帯設備の仕様を制限するための法規を確認しつつ、施工建物付帯設備の施工が完了する時点において施行されている建物付帯設備の仕様を制限するための法規を確認することができる。すなわち、以上のように構成することにより、表示制御装置１００ｂは、施工建物付帯設備の仕様が、現在法規に適合する仕様であるか否かについて、ユーザに把握させることができる。
【０１１１】
また、以上のように、実施の形態３に係る表示制御装置１００ｂは、上述の構成に加えて、ユーザ操作を示す操作情報を取得する操作取得部１０１と、操作取得部１０１が取得する操作情報に基づいて、操作情報が示すユーザ操作により選択された仕様項目を特定して、当該仕様項目である選択仕様項目を示す選択仕様項目情報を取得する選択仕様項目取得部１４０と、選択仕様項目取得部１４０が取得する選択仕様項目情報に基づいて、現在法規情報が示す現在法規のうちの選択仕様項目情報が示す選択仕様項目に対応する現在法規である対応現在法規と、過去法規情報が示す過去法規のうちの選択仕様項目情報が示す選択仕様項目に対応する過去法規である対応過去法規とを特定する対応法規特定部１５０ｂと、を備え、表示画像生成部１９０ｂは、選択仕様項目取得部１４０が選択仕様項目情報を取得したときに、対応法規特定部１５０ｂが特定した対応現在法規又は対応過去法規と他の現在法規又は過去法規とを識別可能な表示画像を生成するように構成した。
【０１１２】
このように構成することにより、ユーザは、表示装置３０に表示された表示画像を見て、既存建物付帯設備の施工が完了した時点において施行されていた建物付帯設備の仕様を制限するための法規を確認しつつ、施工建物付帯設備の施工が完了する時点において施行されている建物付帯設備の仕様を制限するための法規を確認することができる。すなわち、以上のように構成することにより、表示制御装置１００ｂは、施工建物付帯設備の仕様が、現在法規に適合する仕様であるか否かについて、ユーザに把握させることができる。
【０１１３】
また、以上のように、実施の形態３に係る表示制御装置１００ｂは、上述の構成に加えて、ユーザ操作を示す操作情報を取得する操作取得部１０１と、操作取得部１０１が取得する操作情報に基づいて、操作情報が示すユーザ操作により選択された現在法規又は過去法規を特定して、特定した現在法規である選択現在法規を示す選択現在法規情報、又は、特定した過去法規である選択過去法規を示す選択過去法規情報を取得する選択法規取得部１４１ｂと、選択法規取得部１４１ｂが取得する選択現在法規情報又は選択過去法規情報に基づいて、仕様項目情報が示す複数の仕様項目のうちの、選択現在法規情報が示す選択現在法規、又は選択過去法規情報が示す選択過去法規に対応する仕様項目である対応仕様項目を特定する対応仕様項目特定部１５１ｂと、を備え、表示画像生成部１９０ｂは、選択法規取得部１４１ｂが選択現在法規情報又は選択過去法規情報を取得したときに、対応仕様項目特定部１５１ｂが特定した対応仕様項目と他の仕様項目とを識別可能な表示画像を生成するように構成した。
【０１１４】
このように構成することにより、ユーザは、表示装置３０に表示された表示画像を見て、既存建物付帯設備の施工が完了した時点において施行されていた建物付帯設備の仕様を制限するための法規を確認しつつ、施工建物付帯設備の施工が完了する時点において施行されている建物付帯設備の仕様を制限するための法規を確認することができる。すなわち、以上のように構成することにより、表示制御装置１００ｂは、施工建物付帯設備の仕様が、現在法規に適合する仕様であるか否かについて、ユーザに把握させることができる。
【０１１５】
また、以上のように、実施の形態３に係る表示制御装置１００ｂは、上述の構成に加えて、施工建物付帯設備が施工される地域である施工地域を示す施工地域情報を取得する施工地域取得部１１１を備え、法規取得部１１０ｂは、施工建物付帯設備の施工が完了する時点において施工地域取得部１１１が取得する施工地域情報が示す施工地域に施行されている現在法規である現在地域法規を示す現在法規情報である地域現在法規情報のうちの少なくとも一部と、過去施工時点情報が示す時点において施工地域情報が示す施工地域に施行されていた過去法規である過去地域法規を示す過去法規情報である地域過去法規情報のうちの少なくとも一部とを取得するように構成した。
【０１１６】
このように構成することにより、表示制御装置１００ｂは、既存建物付帯設備の施工が完了した時点において施行されていた建物付帯設備の仕様を制限するための法規をユーザに把握させつつ、施工建物付帯設備の仕様が、施工建物付帯設備が施工される地域に対応した法規に適合する仕様であるか否かについて、ユーザに把握させることができる。
【０１１７】
実施の形態４．
図１５から図１８を参照して、実施の形態４に係る表示制御装置１００ｃについて説明する。
図１５を参照して、実施の形態４に係る表示制御装置１００ｃが適用された仕様検討システム１ｃの要部の構成について説明する。
図１５は、実施の形態４に係る表示制御装置１００ｃが適用された仕様検討システム１ｃの要部の構成の一例を示すブロック図である。
仕様検討システム１ｃは、表示制御装置１００ｃ、ネットワーク１０、操作入力装置２０、表示装置３０、及び記憶装置４０を備える。
仕様検討システム１ｃは、実施の形態１に係る仕様検討システム１と比較して、仕様検討システム１が備える表示制御装置１００が、表示制御装置１００ｃに変更されたものである。仕様検討システム１ｃが備えるネットワーク１０、操作入力装置２０、表示装置３０、及び記憶装置４０は、実施の形態１に係る仕様検討システム１が備えるネットワーク１０、操作入力装置２０、表示装置３０、及び記憶装置４０と同様であるため、説明を省略する。
【０１１８】
表示制御装置１００ｃは、施工建物付帯設備の仕様を検討するためのユーザインタフェースを提供する装置である。具体的には、表示制御装置１００ｃは、建物付帯設備の仕様を制限するための法規を含む表示画像を生成し、生成した表示画像を示す表示画像情報を出力する。
記憶装置４０は、表示制御装置１００ｃが表示画像を生成する際に必要な情報を記憶する。
ネットワーク１０には、例えば、ノードとして、表示制御装置１００ｃ及び記憶装置４０が接続されている。
表示制御装置１００ｃ及び記憶装置４０は、ネットワーク１０を介して、互いに情報を送受信することができる。
操作入力装置２０は、表示制御装置１００ｃと接続され、表示制御装置１００ｃは、操作入力装置２０が出力する操作情報を取得して、取得した操作情報に基づく処理を実行する。
表示装置３０は、表示制御装置１００ｃと接続され、表示制御装置１００ｃは、表示装置３０に表示画像情報を出力して、表示装置３０に表示画像情報が示す表示画像を表示させる。
【０１１９】
図１６を参照して、実施の形態４に係る表示制御装置１００ｃの要部の構成について説明する。
図１６は、実施の形態４に係る表示制御装置１００ｃの要部の構成の一例を示すブロック図である。
表示制御装置１００ｃは、操作取得部１０１、法規取得部１１０ｃ、施工地域取得部１１１、仕様項目取得部１２０、施工仕様取得部１３０、施工仕様変更部１３１、選択仕様項目取得部１４０、施工判定部１７０ｂ、過去施工時点取得部１８０ｂ、表示画像生成部１９０ｃ、及び表示画像出力部１９９を備える。
【０１２０】
表示制御装置１００ｃは、実施の形態１に係る表示制御装置１００と比較して、表示制御装置１００が備える項目仕様候補抽出部１３２、選択法規取得部１４１、対応法規特定部１５０、対応仕様項目特定部１５１、及び抵触項目仕様抽出部１６０が削除され、施工判定部１７０ｂ及び過去施工時点取得部１８０ｂが追加され、法規取得部１１０及び表示画像生成部１９０が、法規取得部１１０ｃ及び表示画像生成部１９０ｃに変更されたものである。
表示制御装置１００ｃが備える操作取得部１０１、施工地域取得部１１１、仕様項目取得部１２０、施工仕様取得部１３０、施工仕様変更部１３１、選択仕様項目取得部１４０、及び表示画像出力部１９９は、実施の形態１に係る表示制御装置１００が備える操作取得部１０１、施工地域取得部１１１、仕様項目取得部１２０、施工仕様取得部１３０、施工仕様変更部１３１、選択仕様項目取得部１４０、及び表示画像出力部１９９と同様であるため、説明を省略する。
また、表示制御装置１００ｃが備える施工判定部１７０ｂ及び過去施工時点取得部１８０ｂは、実施の形態３に係る表示制御装置１００ｂが備える施工判定部１７０ｂ及び過去施工時点取得部１８０ｂと同様であるため、説明を省略する。
【０１２１】
法規取得部１１０ｃは、施工建物付帯設備の施工が完了する時点において施行されている建物付帯設備の仕様を制限するための法規である現在法規を示す現在法規情報のうちの少なくとも一部を取得する。また、法規取得部１１０ｃは、現在法規情報に加えて、過去施工時点取得部１８０ｂが取得する過去施工時点情報が示す時点に施行されていた建物付帯設備の仕様を制限するための法規である過去法規を示す過去法規情報の少なくとも一部を取得する。法規取得部１１０ｃは、記憶装置４０から現在法規情報及び過去法規情報を読み出すことにより現在法規情報及び過去法規情報を取得する。
表示制御装置１００ｃが施工地域取得部１１１を備える場合、法規取得部１１０ｃは、施工地域取得部１１１が取得する施工地域情報が示す施工地域において施行されている現在地域法規を示す地域現在法規情報、及び、過去施工時点情報が示す時点において施工地域情報が示す施工地域に施行されていた過去地域法規を示す地域過去法規情報を取得してもよい。
【０１２２】
具体的には、法規取得部１１０ｃは、選択仕様項目取得部１４０が取得する選択仕様項目情報に基づいて、現在法規情報のうちの、選択仕様項目情報が示す選択仕様項目に対応する対応現在法規を示す対応現在法規情報と、過去法規情報のうちの、選択仕様項目情報が示す選択仕様項目に対応する対応過去法規を示す対応過去法規情報とを取得する。
【０１２３】
表示画像生成部１９０ｃは、施工仕様取得部１３０が取得する施工仕様情報が示す複数の施工項目仕様のそれぞれと、仕様項目取得部１２０が取得する仕様項目情報が示す仕様項目とを対応付けた表示画像であって、法規取得部１１０ｃが取得する現在法規情報が示す現在法規及び過去法規情報が示す過去法規を含む表示画像を生成する。
具体的には、表示画像生成部１９０ｃは、選択仕様項目取得部１４０が選択仕様項目情報を取得したときに、法規取得部１１０ｃが取得する対応現在法規情報が示す対応現在法規、及び対応過去法規情報が示す対応過去法規を含む表示画像を生成する。
表示画像出力部１９９は、表示画像生成部１９０ｃが生成した表示画像を表示画像情報として出力する。
【０１２４】
以上のように構成することにより、表示制御装置１００ｃは、既存建物付帯設備の施工が完了した時点において施行されていた建物付帯設備の仕様を制限するための法規をユーザに把握させつつ、施工建物付帯設備の仕様が、施工建物付帯設備が施工される地域に対応した法規に適合する仕様であるか否かについて、ユーザに把握させることができる。
【０１２５】
なお、表示制御装置１００ｃが備える操作取得部１０１、法規取得部１１０ｃ、施工地域取得部１１１、仕様項目取得部１２０、施工仕様取得部１３０、施工仕様変更部１３１、選択仕様項目取得部１４０、施工判定部１７０ｂ、過去施工時点取得部１８０ｂ、表示画像生成部１９０ｃ、及び表示画像出力部１９９の各機能は、図４Ａ及び図４Ｂに一例を示したハードウェア構成におけるプロセッサ４０１及びメモリ４０２により実現されるものであっても良く、又は処理回路４０３により実現されるものであっても良い。
【０１２６】
図１７及び図１８を参照して、実施の形態４に係る表示制御装置１００ｃの動作について説明する。
図１７は、実施の形態４に係る表示制御装置１００ｃの処理の一例を説明するフローチャートである。
表示制御装置１００ｃは、例えば、当該フローチャートの処理を実行することにより、初期の表示画像を生成して、当該表示画像を表示装置３０に表示させる。
図１８は、実施の形態４に係る表示制御装置１００ｃの処理の一例を示すフローチャートである。
表示制御装置１００ｃは、例えば、図１７に示すフローチャートの処理を実行した後に、図１８に示すフローチャートの処理を繰り返し実行する。
【０１２７】
まず、ステップＳＴ１７０１にて、施工判定部１７０ｂは、施工建物付帯設備の施工が、既存建物付帯設備の修繕、更新、又は改修である否かを判定する。
ステップＳＴ１７０１にて、施工判定部１７０ｂが、施工建物付帯設備の施工が、既存建物付帯設備の修繕、更新、又は改修でないと判定した場合、例えば、表示制御装置１００ｃは、当該フローチャートの処理を終了し、終了後に、実施に形態２に係る表示制御装置１００ａの処理を示す図９及び図１０に示すフローチャートの処理を実行する。
ステップＳＴ１７０１にて、施工判定部１７０ｂが、施工建物付帯設備の施工が、既存建物付帯設備の修繕、更新、又は改修であると判定した場合、ステップＳＴ１７０２にて、過去施工時点取得部１８０ｂは、既存建物付帯設備の施工が完了した時点を示す過去施工時点情報を取得する。
【０１２８】
ステップＳＴ１７０２の後、ステップＳＴ１７１１にて、仕様項目取得部１２０は、仕様項目情報を取得する。
ステップＳＴ１７１１の後、ステップＳＴ１７１２にて、施工仕様取得部１３０は、施工仕様情報を新規に生成する。
ステップＳＴ１７１２の後、ステップＳＴ１７１３にて、表示画像生成部１９０ｃは、表示画像を生成する。
ステップＳＴ１７１３の後、ステップＳＴ１７１４にて、表示画像出力部１９９は、表示画像情報を出力する。
ステップＳＴ１７１４の後、表示制御装置１００ｃは、当該フローチャートの処理を終了する。表示制御装置１００ｃは、当該フローチャートの処理を終了した後、図１８に示すフローチャートの処理を実行する。
なお、ステップＳＴ１７１１及びステップＳＴ１７１２の処理の順序は任意である。
【０１２９】
表示制御装置１００ｃは、図１７に示すフローチャートの処理を実行した後、まず、ステップＳＴ１８０１にて、操作取得部１０１は、操作情報を取得する。
ステップＳＴ１８０１の後、ステップＳＴ１８１０にて、施工仕様変更部１３１は、操作取得部１０１が取得する操作情報が示すユーザ操作が、施工仕様情報が示す施工項目仕様を変更するためのものであるか否かを判定する。
【０１３０】
ステップＳＴ１８１０にて、施工仕様変更部１３１が、ユーザ操作が施工項目仕様を変更するためのものであると判定した場合、ステップＳＴ１８１１にて、施工仕様変更部１３１は、施工仕様情報を変更する。
ステップＳＴ１８１１の後、ステップＳＴ１８１２にて、施工仕様取得部１３０は、施工仕様変更部１３１が変更した後の施工仕様情報を取得する。
ステップＳＴ１８１３の後、ステップＳＴ１８１３にて、表示画像生成部１９０ｃは、表示画像を生成する。
ステップＳＴ１８１４の後、ステップＳＴ１８９９にて、表示画像出力部１９９は、表示画像情報を出力する。
ステップＳＴ１８９９の後、表示制御装置１００ｃは、当該フローチャートの処理を終了する。表示制御装置１００ｃは、当該フローチャートの処理を終了した後、ステップＳＴ１８０１の処理に戻って、当該フローチャートの処理を繰り返して実行する。
【０１３１】
ステップＳＴ１８１０にて、施工仕様変更部１３１が、ユーザ操作が施工項目仕様を変更するためのものでないと判定した場合、ステップＳＴ１８２０にて、選択仕様項目取得部１４０は、操作取得部１０１が取得する操作情報が示すユーザ操作が、仕様項目を選択するためのものであるか否かを判定する。
【０１３２】
ステップＳＴ１８２０にて、選択仕様項目取得部１４０が、ユーザ操作が仕様項目を選択するためのものであると判定した場合、ステップＳＴ１８２１にて、選択仕様項目取得部１４０は、選択仕様項目情報を取得する。
ステップＳＴ１８２１の後、ステップＳＴ１８２２にて、法規取得部１１０ｃは、対応現在法規情報及び対応過去法規情報を取得する。
ステップＳＴ１８２２の後、ステップＳＴ１８２３にて、表示画像生成部１９０ｃは、対応現在法規情報が示す対応現在法規、及び対応過去法規情報が示す対応過去法規を含む表示画像を生成する。
ステップＳＴ１８２３の後、ステップＳＴ１８９９にて、表示画像出力部１９９は、表示画像情報を出力する。
ステップＳＴ１８９９の後、表示制御装置１００ｃは、当該フローチャートの処理を終了する。表示制御装置１００ｃは、当該フローチャートの処理を終了した後、ステップＳＴ１８０１の処理に戻って、当該フローチャートの処理を繰り返して実行する。
【０１３３】
ステップＳＴ１８２０にて、選択仕様項目取得部１４０が、ユーザ操作が仕様項目を選択するためのものでないと判定した場合、表示制御装置１００ｃは、当該フローチャートの処理を終了する。表示制御装置１００ｃは、当該フローチャートの処理を終了した後、ステップＳＴ１８０１の処理に戻って、当該フローチャートの処理を繰り返して実行する。
【０１３４】
以上のように、実施の形態４に係る表示制御装置１００ｃは、施工対象の建物付帯設備である施工建物付帯設備の仕様を検討するためのユーザインタフェースを提供する表示制御装置１００ｃであって、施工建物付帯設備の施工が完了する時点において施行されている建物付帯設備の仕様を制限するための法規である現在法規を示す現在法規情報のうちの少なくとも一部を取得する法規取得部１１０ｃと、建物付帯設備の仕様を構成する複数の項目仕様に対応する複数の仕様項目を示す仕様項目情報を取得する仕様項目取得部１２０と、施工建物付帯設備の仕様を示す施工仕様情報であって、複数の仕様項目に対応する施工建物付帯設備の複数の項目仕様である複数の施工項目仕様を示す施工仕様情報を取得する施工仕様取得部１３０と、施工仕様取得部１３０が取得する施工仕様情報が示す複数の施工項目仕様のそれぞれと、仕様項目取得部１２０が取得する仕様項目情報が示す仕様項目とを対応付けた表示画像であって、法規取得部１１０ｃが取得する現在法規情報が示す現在法規を含む表示画像を生成する表示画像生成部１９０ｃと、表示画像生成部１９０ｃが生成した表示画像を表示画像情報として出力する表示画像出力部１９９と、施工建物付帯設備の施工が、既存の建物付帯設備である既存建物付帯設備の修繕、更新、又は改修である否かを判定する施工判定部１７０ｂと、施工判定部１７０ｂが既存建物付帯設備の修繕、更新、又は改修であると判定した場合に、既存建物付帯設備の施工が完了した時点を示す過去施工時点情報を取得する過去施工時点取得部１８０ｂと、ユーザ操作を示す操作情報を取得する操作取得部１０１と、操作取得部１０１が取得する操作情報に基づいて、操作情報が示すユーザ操作により選択された仕様項目を特定して、当該仕様項目である選択仕様項目を示す選択仕様項目情報を取得する選択仕様項目取得部１４０と、を備え、法規取得部１１０ｃは、選択仕様項目取得部１４０が取得する選択仕様項目情報に基づいて、現在法規情報のうちの、選択仕様項目情報が示す選択仕様項目に対応する現在法規である対応現在法規を示す対応現在法規情報と、過去法規情報のうちの、選択仕様項目情報が示す選択仕様項目に対応する過去法規である対応過去法規を示す対応過去法規情報とを取得し、表示画像生成部１９０ｃは、選択仕様項目取得部１４０が選択仕様項目情報を取得したときに、法規取得部１１０ｃが取得する対応現在法規情報が示す対応現在法規、及び対応過去法規情報が示す対応過去法規を含む表示画像を生成するように構成した。
【０１３５】
このように構成することにより、表示制御装置１００ｃは、既存建物付帯設備の施工が完了した時点において施行されていた建物付帯設備の仕様を制限するための法規をユーザに把握させつつ、施工建物付帯設備の仕様が、施工建物付帯設備が施工される地域に対応した法規に適合する仕様であるか否かについて、ユーザに把握させることができる。
【０１３６】
なお、本開示はその開示の範囲内において、各実施の形態の自由な組み合わせ、あるいは各実施の形態の任意の構成要素の変形、もしくは各実施の形態において任意の構成要素の省略が可能である。
【産業上の利用可能性】
【０１３７】
本開示の表示制御装置は、仕様検討システムに適用することができる。
【符号の説明】
【０１３８】
１，１ａ，１ｂ，１ｃ  仕様検討システム、１０  ネットワーク、２０  操作入力装置、３０  表示装置、４０  記憶装置、１００，１００ａ，１００ｂ，１００ｃ  表示制御装置、１０１  操作取得部、１１０，１１０ａ，１１０ｂ，１１０ｃ  法規取得部、１１１  施工地域取得部、１２０  仕様項目取得部、１３０  施工仕様取得部、１３１  施工仕様変更部、１３２  項目仕様候補抽出部、１４０  選択仕様項目取得部、１４１，１４１ｂ  選択法規取得部、１５０，１５０ｂ  対応法規特定部、１５１，１５１ｂ  対応仕様項目特定部、１６０  抵触項目仕様抽出部、１７０ｂ  施工判定部、１８０ｂ  過去施工時点取得部、１９０，１９０ａ，１９０ｂ，１９０ｃ  表示画像生成部、１９９  表示画像出力部、３００  表示画像、３１０  入力切替領域、３２０  項目仕様入力領域、３３０  法規表示領域、４０１  プロセッサ、４０２  メモリ、４０３  処理回路。
【要約】
表示制御装置（１００）は、建物付帯設備の仕様を検討するためのユーザインタフェースを提供するものであって、施工建物付帯設備の施工が完了する時点において施行されている建物付帯設備の仕様を制限するための現在法規を示す現在法規情報のうちの少なくとも一部を取得する法規取得部（１１０）と、建物付帯設備の仕様を構成する複数の項目仕様に対応する複数の仕様項目を示す仕様項目情報を取得する仕様項目取得部（１２０）と、施工建物付帯設備の仕様を示す施工仕様情報であって、複数の仕様項目に対応する施工建物付帯設備の複数の項目仕様である複数の施工項目仕様を示す施工仕様情報を取得する施工仕様取得部（１３０）と、施工仕様情報が示す複数の施工項目仕様のそれぞれと、仕様項目情報が示す仕様項目とを対応付けた表示画像であって、現在法規情報が示す現在法規を含む表示画像を生成する表示画像生成部（１９０）と、を備えた。【図１】
0006861903.tif 000002
【図２】
0006861903.tif 000003
【図３】
0006861903.tif 000004
【図４】
0006861903.tif 000005
【図５】
0006861903.tif 000006
【図６】
0006861903.tif 000007
【図７】
0006861903.tif 000008
【図８】
0006861903.tif 000009
【図９】
0006861903.tif 000010
【図１０】
0006861903.tif 000011
【図１１】
0006861903.tif 000012
【図１２】
0006861903.tif 000013
【図１３】
0006861903.tif 000014
【図１４】
0006861903.tif 000015
【図１５】
0006861903.tif 000016
【図１６】
0006861903.tif 000017
【図１７】
0006861903.tif 000018
【図１８】
0006861903.tif 000019